(57)【要約】  ワイヤレス通信における基準信号設計について、開示する。基地局が、ポートカウントに関連付けられた利用可能密度スキームのセットから、基準信号密度スキームを選択し得る。基準信号密度スキームは、基準信号送信を受信するモバイルデバイスのカテゴリに基づいて選択されてもよい。基準信号密度スキームは、比較的高密度の基準信号密度スキームまたは比較的低密度基準信号密度スキームであってよく、比較的高密度の基準信号密度スキームは、サブフレームごとに、より多くの基準信号リソース要素を含む。モバイルデバイスは、チャネルの特性に基づいて基準信号密度スキームを決定することができる。比較的高密度の基準信号密度スキームは、追加チャネル推定機会をモバイルデバイスに提供し得る。いくつかのケースでは、モバイルデバイスは、受信された基準信号に基づいて推定されたチャネルを基地局に送る。【選択図】図２
2017537497.tif 000002
【特許請求の範囲】
【請求項１】
ワイヤレス通信のための方法であって、
基準信号（ＲＳ）密度スキームに従って送信された基準信号を受信すること、前記ＲＳ密度スキームは、ＲＳ密度スキームのセットから選択される、と、
前記基準信号に関連付けられたチャネルのタイプまたは前記基準信号に関連付けられた前記チャネルのためのカバレージ拡張に少なくとも部分的に基づいて、前記ＲＳ密度スキームを識別することと、
前記ＲＳ密度スキームに従って、前記基準信号を使って通信することと
を備える、方法。
【請求項２】
ＲＳ密度スキームのインジケーションを受信することをさらに備え、前記ＲＳ密度スキームは、前記インジケーションに少なくとも部分的に基づいて識別され、前記インジケーションは、専用のシグナリングまたはブロードキャスト情報中で受信される、
請求項１に記載の方法。
【請求項３】
前記基準信号を受信することは、
セル固有基準信号（ＣＲＳ）または復調基準信号（ＤＭ−ＲＳ）のうちの少なくとも１つまたはそれらの組合せを受信することを備える、
請求項１に記載の方法。
【請求項４】
前記ＲＳ密度スキームに従って、およびモバイルデバイスカテゴリまたはモバイルデバイス能力のうちの１つに少なくとも部分的に基づいて、基準信号のセットを受信することをさらに備える、
請求項１に記載の方法。
【請求項５】
前記モバイルデバイスカテゴリまたは前記モバイルデバイス能力は、マシンタイプ通信（ＭＴＣ）デバイス、狭帯域ＭＴＣデバイス、狭帯域において動作するユーザ機器（ＵＥ）、または複数のＲＳ密度スキームをサポートするＵＥのうちの少なくとも１つを備える、
請求項４に記載の方法。
【請求項６】
前記ＲＳ密度スキームは、前記チャネルに関連付けられた１つまたは複数のパラメータに基づいてさらに決定される、
請求項１に記載の方法。
【請求項７】
前記基準信号に関連付けられた前記チャネルの前記タイプは、ブロードキャストチャネルまたはユニキャストチャネルのうちの少なくとも１つを備える、
請求項１に記載の方法。
【請求項８】
前記基準信号に関連付けられた前記チャネルの前記タイプは、制御チャネルまたはデータチャネルのうちの少なくとも１つを備える、
請求項１に記載の方法。
【請求項９】
前記チャネルの前記カバレージ拡張は、前記チャネルの反復を備え、前記ＲＳ密度スキームは、前記チャネルの反復の数に少なくとも部分的に基づいて識別される、
請求項１に記載の方法。
【請求項１０】
前記ＲＳ密度スキームは、第１の反復数について識別され、別のＲＳ密度スキームは、前記第１の反復数よりも大きい第２の反復数について識別され、前記別のＲＳ密度スキームは、前記ＲＳ密度スキームよりも高いＲＳ密度を有する、
請求項９に記載の方法。
【請求項１１】
前記基準信号を使って通信することは、
前記基準信号を使って、チャネル推定または干渉推定のうちの少なくとも１つを実施することと、
前記チャネル推定または前記干渉推定のうちの前記少なくとも１つに基づいて前記チャネルを復号することと
を備える、請求項１に記載の方法。
【請求項１２】
ワイヤレス通信のための装置であって、
基準信号（ＲＳ）密度スキームに従って送信された基準信号を受信するための手段、前記ＲＳ密度スキームは、ＲＳ密度スキームのセットから選択される、と、
前記基準信号に関連付けられたチャネルのタイプまたは前記基準信号に関連付けられた前記チャネルのためのカバレージ拡張に少なくとも部分的に基づいて、前記ＲＳ密度スキームを識別するための手段と、
前記ＲＳ密度スキームに従って、前記基準信号を使って通信するための手段と
を備える、装置。
【請求項１３】
ＲＳ密度スキームのインジケーションを受信するための手段をさらに備え、前記ＲＳ密度スキームは、前記インジケーションに少なくとも部分的に基づいて識別され、前記インジケーションは、専用のシグナリングまたはブロードキャスト情報中で受信される、
請求項１２に記載の装置。
【請求項１４】
前記基準信号を受信するための前記手段は、
セル固有基準信号（ＣＲＳ）または復調基準信号（ＤＭ−ＲＳ）のうちの少なくとも１つまたはそれらの組合せを受信するための手段を備える、
請求項１２に記載の装置。
【請求項１５】
前記ＲＳ密度スキームに従って、およびモバイルデバイスカテゴリまたはモバイルデバイス能力のうちの１つに少なくとも部分的に基づいて、基準信号のセットを受信するための手段をさらに備える、
請求項１２に記載の装置。
【請求項１６】
前記モバイルデバイスカテゴリまたは前記モバイルデバイス能力は、マシンタイプ通信（ＭＴＣ）デバイス、狭帯域ＭＴＣデバイス、狭帯域において動作するユーザ機器（ＵＥ）、または複数のＲＳ密度スキームをサポートするＵＥのうちの少なくとも１つを備える、
請求項１５に記載の装置。
【請求項１７】
前記ＲＳ密度スキームを識別するための前記手段は、前記チャネルに関連付けられた１つまたは複数のパラメータに少なくとも部分的に基づいて動作可能である、
請求項１２に記載の装置。
【請求項１８】
前記基準信号に関連付けられた前記チャネルの前記タイプは、ブロードキャストチャネルまたはユニキャストチャネルのうちの少なくとも１つを備える、
請求項１２に記載の装置。
【請求項１９】
前記基準信号に関連付けられた前記チャネルの前記タイプは、制御チャネルまたはデータチャネルのうちの少なくとも１つを備える、
請求項１２に記載の装置。
【請求項２０】
前記チャネルの前記カバレージ拡張は前記チャネルの反復を備え、前記ＲＳ密度スキームは、前記チャネルの反復の数に少なくとも部分的に基づいて識別される、
請求項１２に記載の装置。
【請求項２１】
前記ＲＳ密度スキームを識別するための前記手段は、第１の反復数について前記ＲＳ密度スキームを識別するように動作可能であり、前記第１の反復数よりも大きい第２の反復数について別のＲＳ密度スキームを識別し、前記別のＲＳ密度スキームは、前記ＲＳ密度スキームよりも高いＲＳ密度を有する、
請求項２０に記載の装置。
【請求項２２】
前記基準信号を使って前記通信するための手段は、
前記基準信号を使ってチャネル推定を実施するための手段と、
前記チャネル推定のインジケーションをサービング基地局に送信するための手段と
を備える、請求項１２に記載の装置。
【請求項２３】
ワイヤレス通信のための装置であって、
プロセッサと、
前記プロセッサと電子通信しているメモリと、
前記メモリに記憶された命令と
を備え、前記命令は、前記プロセッサによって、前記装置に、
基準信号（ＲＳ）密度スキームに従って送信された基準信号を受信すること、前記ＲＳ密度スキームは、ＲＳ密度スキームのセットから選択される、と、
前記基準信号に関連付けられたチャネルのタイプまたは前記基準信号に関連付けられた前記チャネルのためのカバレージ拡張に少なくとも部分的に基づいて、前記ＲＳ密度スキームを識別することと、
前記ＲＳ密度スキームに従って、前記基準信号を使って通信することと
を行わせるように実行可能である、装置。
【請求項２４】
前記命令は、前記プロセッサによって、前記装置に、
ＲＳ密度スキームのインジケーションを受信させるように実行可能であり、前記ＲＳ密度スキームは、前記インジケーションに少なくとも部分的に基づいて識別され、前記インジケーションは、専用のシグナリングまたはブロードキャスト情報中で受信される、
請求項２３に記載の装置。
【請求項２５】
前記命令は、前記プロセッサによって、前記装置に、
セル固有基準信号（ＣＲＳ）または復調基準信号（ＤＭ−ＲＳ）のうちの少なくとも１つまたはそれらの組合せを受信させるように実行可能である、
請求項２３に記載の装置。
【請求項２６】
前記命令は、前記プロセッサによって、前記装置に、
前記ＲＳ密度スキームに従って、およびモバイルデバイスカテゴリまたはモバイルデバイス能力に少なくとも部分的に基づいて、基準信号のセットを受信させるように実行可能である、
請求項２３に記載の装置。
【請求項２７】
前記基準信号に関連付けられた前記チャネルの前記タイプは、ブロードキャストチャネルまたはユニキャストチャネルのうちの少なくとも１つを備える、
請求項２３に記載の装置。
【請求項２８】
前記基準信号に関連付けられた前記チャネルの前記タイプは、制御チャネルまたはデータチャネルのうちの少なくとも１つを備える、請求項２３に記載の装置。
【請求項２９】
前記命令は、前記プロセッサによって、前記装置に、
前記基準信号を使って、チャネル推定または干渉推定のうちの少なくとも１つを実施させ、
前記チャネル推定または前記干渉推定のうちの少なくとも１つに基づいて前記チャネルを復号させるように実行可能である、
請求項２３に記載の装置。
【請求項３０】
ワイヤレス通信のためのコンピュータ実行可能コードを記憶する非一時的コンピュータ可読媒体であって、前記コードは、
基準信号（ＲＳ）密度スキームに従って送信された基準信号を受信すること、前記ＲＳ密度スキームは、ＲＳ密度スキームのセットから選択される、と、
チャネルのタイプまたは前記チャネルのためのカバレージ拡張に少なくとも部分的に基づいて、前記ＲＳ密度スキームを識別し、
前記ＲＳ密度スキームに従って、前記基準信号を使って通信することと
を行うように実行可能である、非一時的コンピュータ可読媒体。
【発明の詳細な説明】
【相互参照】
【０００１】
[0001]本特許出願は、各々が本出願の譲受人に譲渡された、２０１５年１０月６日に出願された、「Ｒｅｆｅｒｅｎｃｅ  Ｓｉｇｎａｌ  Ｄｅｓｉｇｎ  ｆｏｒ  Ｗｉｒｅｌｅｓｓ  Ｃｏｍｍｕｎｉｃａｔｉｏｎｓ」と題する、Ｃｈｅｎらによる米国特許出願第１４／８７６，６７８号、および２０１４年１０月８日に出願された、「Ｒｅｆｅｒｅｎｃｅ  Ｓｉｇｎａｌ  Ｄｅｓｉｇｎ  ｆｏｒ  Ｗｉｒｅｌｅｓｓ  Ｃｏｍｍｕｎｉｃａｔｉｏｎｓ」と題する、Ｃｈｅｎらによる米国仮特許出願第６２／０６１，６３４号の優先権を主張する。
【技術分野】
【０００２】
[0002]本開示は、ワイヤレス通信のための、より詳細には、ロングタームエボリューションワイヤレス通信における拡張マシンタイプ通信のための基準信号設計に関する。
【背景技術】
【０００３】
[0003]ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が、場合によってはユーザ機器（ＵＥ）として知られる複数の通信デバイスのための通信を同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で、ＵＥと通信し得る。
【０００５】
[0005]ＵＥは、他のカテゴリと比較して低減された通信リソースを使うように構成されるなど、他のカテゴリに対して制限または低減された能力を有するカテゴリを含む、異なるカテゴリのものであってよい。ＵＥは、地下、機器クローゼットなどのような、制限された環境において動作する場合もある。また、ＵＥは、いくつかの狭帯域幅動作によって制限を受ける場合がある。たとえば、マシンタイプ通信（ＭＴＣ）デバイスが、これらの事柄によって影響される場合がある。ただし、いくつかのカバレージ拡張（ＣＥ：coverage enhancement）技法が、ＭＴＣデバイスなどのＵＥに、さらなる動作上の柔軟性を与えることができる。
【発明の概要】
【０００６】
[0006]説明する特徴は、一般に、ワイヤレス通信における基準信号設計のための１つまたは複数の改善されたシステム、方法、および／または装置に関する。概して、基準信号（ＲＳ）設計は、より密なＲＳスキーム、たとえば、追加チャネル推定フィードバック機会を許可するために、追加基準信号（ＲＳ）を、特定のタイプのＵＥに提供することができる。いくつかの例では、基地局は、あるタイプのＵＥまたは他のタイプのＵＥもしくは他のカテゴリと比較して低減された通信能力をもつカテゴリにおいて動作しているＵＥと通信中であると決定し得る。基地局は、ＵＥにＲＳを送るために基地局にとって利用可能なアンテナポートの数を決定することもできる。基地局は次いで、カバレージ要件が満足されることを保証するために、ＵＥがチャネル状態を測定し、チャネル推定フィードバックを与えるのに十分な機会を提供するＲＳ密度スキームに従って、ＲＳを選択し、ＵＥに送ることができる。基地局は、ＵＥからチャネル推定フィードバックを受信し、チャネル状態に基づいて、必要なカバレージを与えるように適切なステップをとればよい。いくつかの例では、基地局は、使用されるＲＳ密度スキームのインジケーションをＵＥにシグナリングしてよい。いくつかの例では、基地局は、一般に使用されるＲＳ密度スキーム、またはさもなければより密でないＲＳ密度スキームよりも密なＲＳ密度スキームから利益を受け得る特定の送信モード用の拡張カバレージについての要求を示す情報などを含むメッセージをＵＥから受信し、したがって、使用されるべき追加ＲＳを構成することができる。
【０００７】
[0007]ある例では、ワイヤレス通信のための方法が記載される。この方法は、基準信号（ＲＳ）密度スキームをＲＳ密度スキームのセットから選択することと、選択されたＲＳ密度スキームに従って、モバイルデバイスに基準信号を送信することとを含み得る。
【０００８】
[0008]ある例では、ワイヤレス通信のための装置が記載される。この装置は、プロセッサと、プロセッサと電子通信しているメモリと、メモリに記憶された命令とを含み得る。命令は、プロセッサによって、基準信号（ＲＳ）密度スキームをＲＳ密度スキームのセットから選択し、選択されたＲＳ密度スキームに従って、モバイルデバイスに基準信号を送信するように実行可能であり得る。
【０００９】
[0009]ある例では、ワイヤレス通信のための装置が記載される。この装置は、基準信号（ＲＳ）密度スキームをＲＳ密度スキームのセットから選択するための手段と、選択されたＲＳ密度スキームに従って、モバイルデバイスに基準信号を送信するための手段とを含み得る。
【００１０】
[0010]ある例では、ワイヤレス通信のためのコンピュータ実行可能コードを記憶する非一時的コンピュータ可読媒体が記載される。コードは、プロセッサによって、基準信号（ＲＳ）密度スキームをＲＳ密度スキームのセットから選択し、決定されたＲＳ密度スキームに従って、モバイルデバイスに基準信号を送信するように実行可能であり得る。
【００１１】
[0011]方法、装置、または非一時的コンピュータ可読媒体のいくつかの例は、モバイルデバイスカテゴリまたはモバイルデバイス能力を識別するためのプロセス、特徴、手段、または命令を含み得る。方法、装置、または非一時的コンピュータ可読媒体のいくつかの例は、チャネルに関連付けられた１つまたは複数のパラメータを識別するためのプロセス、特徴、手段、または命令を含むことができ、パラメータは、いくつかの例では、モバイルデバイスのポートカウントを含み得る。方法、装置、または非一時的コンピュータ可読媒体のいくつかの例は、モバイルデバイスの識別されたカテゴリ、モバイルデバイスの識別された能力、チャネルに関連付けられた１つもしくは複数のパラメータ、またはそれらの任意の組合せに少なくとも部分的に基づいて、ＲＳ密度スキームをＲＳ密度スキームのセットから選択するためのプロセス、特徴、手段、または命令を含み得る。
【００１２】
[0012]方法、装置、または非一時的コンピュータ可読媒体のいくつかの例は、モバイルデバイスからチャネル品質インジケーションを受信するためのプロセス、特徴、手段、または命令を含むことができ、チャネル品質インジケーションは、送信された基準信号に少なくとも部分的に基づく。基準信号を送信することは、セル固有基準信号（ＣＲＳ）または復調基準信号（ＤＭ−ＲＳ）のうちの少なくとも１つ、またはそれらの組合せをモバイルデバイスに送信するためのプロセス、特徴、手段、または命令を含み得る。方法、装置、または非一時的コンピュータ可読媒体のいくつかの例は、モバイルデバイスのためのカバレージ拡張を識別し、識別されたカバレージ拡張に少なくとも部分的に基づいてＲＳ密度スキームを選択するためのプロセス、特徴、手段、または命令を含み得る。
【００１３】
[0013]方法、装置、または非一時的コンピュータ可読媒体のいくつかの例は、モバイルデバイス用の送信モードを識別し、識別された送信モードに少なくとも部分的に基づいてＲＳ密度スキームを選択するためのプロセス、特徴、手段、または命令を含み得る。送信モードはブロードキャストモードまたはユニキャストモードを含んでよく、送信はブロードキャストチャネルまたはユニキャストチャネルを使うことができる。方法、装置、または非一時的コンピュータ可読媒体のいくつかの例では、送信は、物理ダウンリンク制御チャネル（ＰＤＣＣＨ）または物理ダウンリンク共有チャネル（ＰＤＳＣＨ）であってよい制御チャネルまたはデータチャネルを使うことができる。方法、装置、または非一時的コンピュータ可読媒体のいくつかの例は、モバイルデバイスの識別されたカテゴリに基づいて、ＲＳ密度スキームに従ってモバイルデバイスに送信される基準信号の数を増大させるためのプロセス、特徴、手段、または命令を含み得る。ＲＳ密度スキームのセットは、比較的低密度のＲＳ密度スキームと、比較的高密度のＲＳ密度スキームとを含み得る。モバイルデバイスカテゴリまたはモバイルデバイス能力は、マシンタイプ通信（ＭＴＣ）デバイス、狭帯域ＭＴＣデバイス、狭帯域において動作するユーザ機器（ＵＥ）、複数のＲＳ密度スキームをサポートするＵＥのうちの少なくとも１つ、またはそれらの組合せを含み得る。モバイルデバイスのカテゴリは、カテゴリ０であり得る。いくつかの例では、モバイルデバイス能力は、第１の時間期間中にモバイルデバイスカテゴリにおいて動作する能力を指す場合があり、これは、第２の時間期間と同じモバイルデバイスカテゴリでなくてよい。したがって、いくつかの例では、モバイルデバイス能力は、様々なパラメータに基づくカテゴリにおいて動作するように選択的に構成される可能性を指す場合がある。
【００１４】
[0014]方法、装置、または非一時的コンピュータ可読媒体のいくつかの例は、モバイルデバイスにメッセージを送信するためのプロセス、特徴、手段、または命令を含むことができ、メッセージは、ＲＳ密度スキームのインジケーションを備える。メッセージは、セル固有基準信号（ＣＲＳ）もしくは復調基準信号（ＤＭ−ＲＳ）またはそれらの組合せがＲＳ密度スキームに含まれるかというインジケーションを含み得る。方法、装置、または非一時的コンピュータ可読媒体のいくつかの例では、ＲＳ密度スキームのインジケーションは、専用のシグナリングまたはブロードキャスト情報中で送信され得る。ポートカウントは、１ポートまたは２ポートのうちの少なくとも１つであり得る。ＲＳ密度スキームは、サブフレームごとに２０個のリソース要素を含み得る。
【００１５】
[0015]ある例では、ワイヤレス通信のための方法が記載される。この方法は、基準信号（ＲＳ）密度スキームに従って送信された基準信号を受信することと、ＲＳ密度スキームは、ＲＳ密度スキームのセットから選択される、基準信号に関連付けられたチャネルのタイプまたは基準信号に関連付けられたチャネルのためのカバレージ拡張に少なくとも部分的に基づいて、ＲＳ密度スキームを識別することと、識別されたＲＳ密度スキームに従って、基準信号を使って通信することとを含み得る。
【００１６】
[0016]ある例では、ワイヤレス通信のための装置が記載される。この装置は、プロセッサと、プロセッサと電子通信するメモリと、メモリ内に記憶された命令とを含み得る。命令は、プロセッサによって、基準信号（ＲＳ）密度スキームに従って送信された基準信号を受信し、ＲＳ密度スキームは、ＲＳ密度スキームのセットから選択される、基準信号に関連付けられたチャネルのタイプまたは基準信号に関連付けられたチャネルのためのカバレージ拡張に少なくとも部分的に基づいて、ＲＳ密度スキームを識別し、識別されたＲＳ密度スキームに従って、基準信号を使って通信するように実行可能であり得る。
【００１７】
[0017]ある例では、ワイヤレス通信のための装置が記載される。この装置は、基準信号（ＲＳ）密度スキームに従って送信された基準信号を受信し、ＲＳ密度スキームは、ＲＳ密度スキームのセットから選択される、基準信号に関連付けられたチャネルのタイプまたは基準信号に関連付けられたチャネルのためのカバレージ拡張に少なくとも部分的に基づいて、ＲＳ密度スキームを識別し、識別されたＲＳ密度スキームに従って、基準信号を使って通信するための手段を含み得る。
【００１８】
[0018]ある例では、ワイヤレス通信のためのコンピュータ実行可能コードを記憶する非一時的コンピュータ可読媒体が記載される。コードは、プロセッサによって、基準信号（ＲＳ）密度スキームに従って送信された基準信号を受信し、ＲＳ密度スキームは、ＲＳ密度スキームのセットから選択される、基準信号に関連付けられたチャネルのタイプまたは基準信号に関連付けられたチャネルのためのカバレージ拡張に少なくとも部分的に基づいて、ＲＳ密度スキームを識別し、識別されたＲＳ密度スキームに従って、基準信号を使って通信するように実行可能であり得る。
【００１９】
[0019]方法、装置、または非一時的コンピュータ可読媒体のいくつかの例は、ＲＳ密度スキームのインジケーションを受信するためのプロセス、特徴、手段、または命令を含むことができ、ＲＳ密度スキームは、インジケーションに少なくとも部分的に基づいて識別され、インジケーションは、専用のシグナリングまたはブロードキャスト情報中で受信される。方法、装置、または非一時的コンピュータ可読媒体のいくつかの例では、基準信号を受信することは、セル固有基準信号（ＣＲＳ）または復調基準信号（ＤＭ−ＲＳ）のうちの少なくとも１つ、またはそれらの組合せを受信するためのプロセス、特徴、手段、または命令を備える。
【００２０】
[0020]方法、装置、または非一時的コンピュータ可読媒体のいくつかの例は、ＲＳ密度スキームに従って、およびモバイルデバイスカテゴリまたはモバイルデバイス能力に少なくとも部分的に基づいて、増加した数の基準信号であってよい、基準信号のセットを受信するためのプロセス、特徴、手段、または命令を含み得る。方法、装置、または非一時的コンピュータ可読媒体のいくつかの例では、モバイルデバイスのカテゴリは、マシンタイプ通信（ＭＴＣ）デバイス、狭帯域ＭＴＣデバイス、狭帯域において動作するＵＥ、複数のＲＳ密度スキームをサポートするＵＥ、またはカテゴリ０デバイスのうちの少なくとも１つを備える。
【００２１】
[0021]方法、装置、または非一時的コンピュータ可読媒体のいくつかの例では、ＲＳ密度スキームは、チャネルに関連付けられた１つまたは複数のパラメータに少なくとも部分的に基づいてＲＳ密度スキームのセットから選択され、パラメータは、いくつかの例では、モバイルデバイスのポートカウントに関連付けられ得る。
【００２２】
[0022]方法、装置、または非一時的コンピュータ可読媒体のいくつかの例では、チャネルのタイプは、ブロードキャストチャネルまたはユニキャストチャネルのうちの少なくとも１つを備える。方法、装置、または非一時的コンピュータ可読媒体のいくつかの例では、チャネルのタイプは、制御チャネルまたはデータチャネルのうちの少なくとも１つを備える。いくつかの例では、チャネルのタイプは、物理ダウンリンク制御チャネル（ＰＤＣＣＨ）または物理ダウンリンク共有チャネル（ＰＤＳＣＨ）であってよい。
【００２３】
[0023]方法、装置、または非一時的コンピュータ可読媒体のいくつかの例では、チャネルのカバレージ拡張はチャネルの反復を備え、ＲＳ密度スキームは、チャネルの反復の数に少なくとも部分的に基づいて識別される。いくつかの例では、ＲＳ密度スキームは第１の反復数について識別され、別のＲＳ密度スキームは、第１の反復数よりも大きい第２の反復数について識別され、別のＲＳ密度スキームは、ＲＳ密度スキームよりも高いＲＳ密度を有する。
【００２４】
[0024]方法、装置、または非一時的コンピュータ可読媒体のいくつかの例では、通信することは、基準信号を使って、チャネル推定または干渉推定のうちの少なくとも１つを実施し、チャネル推定または干渉推定のうちの少なくとも１つに基づいてチャネルを復号するためのプロセス、特徴、手段、または命令を備える。方法、装置、または非一時的コンピュータ可読媒体のいくつかの例では、ＲＳ密度スキームは、サブフレームごとに２０個のリソース要素を備える。
【００２５】
[0025]上記では、以下の発明を実施するための形態がよりよく理解され得るように、本開示による例の特徴および技術的利点をかなり広く概説した。追加の特徴および利点が以下で説明される。開示する概念および具体例は、本開示の同じ目的を実施するための他の構造を修正または設計するための基礎として容易に利用され得る。そのような等価な構成は、添付の特許請求の範囲から逸脱しない。関連する利点とともに、本明細書で開示される概念の特性、それらの編成と動作の方法の両方は、添付の図に関して検討されると、以下の説明からよりよく理解されよう。図の各々は、例示および説明のみのために与えられ、特許請求の範囲の限定の定義として与えられるものではない。
【図面の簡単な説明】
【００２６】
[0026]本発明の本質および利点のさらなる理解は、以下の図面および付属書類を参照することによって実現され得る。添付の図では、同様の構成要素または特徴は、同じ参照ラベルを有し得る。さらに、同じタイプの様々な構成要素は、参照ラベルの後に、ダッシュと、同様の構成要素の間で区別する第２のラベルとを続けることによって区別され得る。本明細書において第１の参照ラベルのみが使用される場合、説明は、第２の参照ラベルにかかわらず、同一の第１の参照ラベルを有する同様の構成要素のうちの任意の１つに適用可能である。
【図１】本開示の態様によるワイヤレス通信システムの例を示す図。
【図２】本開示の態様による、ワイヤレス通信における基準信号設計の態様を示すメッセージフロー図。
【図３Ａ】本開示の態様による例示的な基準信号密度スキームの態様を示す図。
【図３Ｂ】本開示の態様による例示的な基準信号密度スキームの態様を示す図。
【図３Ｃ】本開示の態様による例示的な基準信号密度スキームの態様を示す図。
【図３Ｄ】本開示の態様による例示的な基準信号密度スキームの態様を示す図。
【図３Ｅ】本開示の態様による例示的な基準信号密度スキームの態様を示す図。
【図４】本開示の態様による、ワイヤレス通信における基準信号設計の態様を示すメッセージフロー図。
【図５】本開示の態様による、ワイヤレス通信における基準信号設計の態様を示すメッセージフロー図。
【図６】本開示の態様による、ワイヤレス通信における使用のために構成されたデバイスのブロック図。
【図７】本開示の態様による、ワイヤレス通信における使用のために構成されたデバイスのブロック図。
【図８】本開示の態様による、ワイヤレス通信における使用のためのシステムを示す図。
【図９】本開示の態様による、ワイヤレス通信における使用のための装置のブロック図。
【図１０】本開示の態様による、ワイヤレス通信における使用のための装置のブロック図。
【図１１】本開示の態様による、ワイヤレス通信における使用のための基地局（たとえば、ｅＮＢの一部または全部を形成する基地局）のブロック図。
【図１２】本開示の態様による、ワイヤレス通信のための方法の例を示すフローチャート。
【図１３】本開示の態様による、ワイヤレス通信のための方法の例を示すフローチャート。
【図１４】本開示の態様による、ワイヤレス通信のための方法の例を示すフローチャート。
【発明を実施するための形態】
【００２７】
[0041]ワイヤレス通信システムは、より広いシステム帯域幅における、およびカバレージ制限デバイスのためのカバレージ拡張（ＣＥ）を伴う、デバイスの動作をサポートするように構成され得る。システム拡張は、狭帯域幅において動作するように設計されている場合があるデバイスを、より広い帯域幅において有効に動作させることができる。たとえば、システム拡張は、１．４ＭＨｚ帯域幅（たとえば、６個のリソースブロック（ＲＢ））における動作用に構成されているデバイスを、たとえば、３、５、１０、１５、または２０ＭＨｚ帯域において動作させることができる。また、そのような拡張は、１５ｄＢ程度のカバレージ拡張を可能にし得る。
【００２８】
[0042]いくつかの例では、ワイヤレス通信システムの１つまたは複数のデバイスは、マシンタイプ通信（ＭＴＣ）デバイスであってよく、またはＭＴＣカテゴリにおいて別の方法で動作（otherwise operating）していてよい。たとえば、デバイスは、ある時間期間中はカテゴリ５デバイスとして動作するように構成され、異なる時間期間中はＭＴＣデバイスとして動作するように構成され得る。いくつかのケースでは、システムが、広帯域キャリア（たとえば、３〜２０ＭＨｚ）を使用する場合がある。複数のＭＴＣデバイスが、広帯域内の制御およびダウンリンクチャネル上で同時に通信する場合がある。たとえば、各ＭＴＣデバイスは、どの所与のときでも、６個の物理ＲＢ（ＰＲＢ）という制約を受けて、モニタし、送信し、または受信することができ、異なるＭＴＣデバイスが、異なる６個のＰＲＢブロックでサービスされ得る。言い換えると、複数のＭＴＣデバイスが、単一の送信時間間隔（ＴＴＩ）（たとえば、サブフレーム）の周波数分割多重化（ＦＤＭ）リソースを介して通信し得る。
【００２９】
[0043]システム拡張をサポートするために、ＭＴＣ制御またはデータチャネルは、ＭＴＣデバイスであってよい他のＵＥ用の制御またはデータチャネルで周波数分割多重化され得る。これらのＭＴＣ制御およびデータチャネルは、それぞれ、ＭＴＣ物理ダウンリンク制御チャネル（ＭＰＤＣＣＨ）およびＭＴＣ物理ダウンリンク共有チャネル（ＭＰＤＳＣＨ）と呼ばれ得る。いくつかの例では、そのようなＦＤＭ動作が可能なＭＴＣデバイスは、拡張または発展ＭＴＣ（ｅＭＴＣ）デバイスと呼ばれ得る。
【００３０】
[0044]ＭＰＤＣＣＨおよびＭＰＤＳＣＨは、拡張／発展ＰＤＣＣＨ（ＥＰＤＣＣＨ）とともに、一貫してまたは有益に動作することができ、これは、アップリンクおよびダウンリンクグラントを他のＵＥに与え得る。たとえば、ＥＰＤＣＣＨをもつＭＰＤＣＣＨまたはＭＰＤＳＣＨは、単一のＴＴＩにおいて周波数分割多重化され得る。いくつかの例では、ＥＰＤＣＣＨは、セル固有基準信号（ＣＲＳ）とは反対に、復調基準信号（ＤＭ−ＲＳ）に依拠して実装され、これにより、ＥＰＤＣＣＨは、ＵＥ固有に構成されることが可能になり得る。すなわち、セル内の各ＵＥは、リソースの異なるセット、したがって異なるＥＰＤＣＣＨをモニタするように構成され得る。拡張または発展ＭＴＣデバイスも同様に、ＭＰＤＣＣＨもしくはＭＰＤＳＣＨ、または両方をモニタするように構成され得る。
【００３１】
[0045]そのような拡張をサポートするために、制御もしくはデータチャネル、または両方のための基準信号は、比較的初期のロングタームエボリューション（ＬＴＥ（登録商標））システムなど、他のシステムに対して修正され得る。これらの拡張は、ＭＴＣデバイスまたはｅＭＴＣデバイスなど、様々なデバイスについてのいくつかの望ましいプロパティを生じる基準信号を与え得る。たとえば、拡張システムにおける基準信号は、ブロードキャスト（たとえば、ＭＴＣシステム情報）とユニキャスト送信の両方を提供し得る。それらは、ＴＴＩバンドリング、および非バンドリングシナリオを含むカバレージ拡張をサポートすることもできる。さらに、それらは、通常と拡張サイクリックプレフィックス（ＣＰ）実装形態の両方をサポートすることができる。また、後方互換性および柔軟な展開の必要を鑑みると、それらは、レガシーと新たなキャリアタイプ（たとえば、無認可スペクトルにおけるＬＴＥ）の両方をサポートすることができる。
【００３２】
[0046]ｅＭＴＣデバイスは、システム拡張、および基準信号設計のいくつかの側面についての知識があると、有益に動作することができ、これらの側面は、ブロードキャスト情報中でｅＭＴＣに伝えられ得る。たとえば、ｅＭＴＣデバイスは、物理ブロードキャストチャネル（ＰＢＣＨ）を復号することによって、および、いくつかの例では、ＣＲＳ周波数偏移を決定することによって、基地局によって使用されるアンテナポート（たとえば、ＣＲＳポート）の数を決定することができる。さらに、ｅＭＴＣデバイスは、ＰＢＣＨを復号することによって、システム帯域幅（たとえば、広帯域キャリア向け）を決定することができる。
【００３３】
[0047]いくつかの例では、ｅＭＴＣデバイス用の基準信号は、たとえば、ｅＭＴＣデバイスのグループに割り当てられるとともにそれによってモニタされる、６ＰＲＢ帯域中のＣＲＳリソース要素（ＲＥ）に基づき得る。基準信号は、割り当てられたＰＲＢ内のＤＭ−ＲＳ  ＲＥにも基づき得る。ただし、ＤＭ−ＲＳは、ＰＲＢ割当てに依存して、６個の割り当てられたＰＲＢのすべての中、サブセットの中で送信されるか、またはそれらのどれの中でも送信されない場合がある。いくつかの例では、基準信号は、ＣＲＳ  ＲＥおよびＤＭ−ＲＳ  ＲＥの組合せに基づき得る。
【００３４】
[0048]ＣＲＳおよびＤＭ−ＲＳ  ＲＥの異なる組合せを使用する様々なＲＳ密度スキームが、ｅＭＴＣ動作を円滑にするのに利用され得る。たとえば、ｅＭＴＣデバイスは、一般に使用されるＲＳ密度スキーム、またはさもなければ比較的低密度のＲＳ密度スキームよりも高い密度のＲＳ送信から利益を得る場合があり、より高密度のＲＳ密度スキームは、増加した数の基準信号であってよい、所与のＰＲＢ内のＣＲＳおよびＤＭ−ＲＳ  ＲＥのセットを含み、それらの基準信号は、追加チャネル状態測定およびフィードバック機会を提供し得る。追加または代替として、より高密度のＲＳ密度スキームは、ＭＰＤＣＣＨまたはＭＰＤＳＣＨ動作を可能にし得る。
【００３５】
[0049]本開示の態様によると、基地局は、特定のカテゴリのＵＥ、または特定のカテゴリにおいて別の方法で動作するＵＥに使われるべきＲＳ密度スキームを選択することができる。たとえば、ＵＥは、様々なパラメータに基づくカテゴリにおいて動作するように選択的に構成される可能性を指すモバイルデバイス能力を有し得る。ＲＳ密度スキームは、チャネルに関連付けられた１つまたは複数のパラメータにも基づき得る。いくつかの例では、ＲＳ密度スキームは、ＵＥにＲＳを送信するのに使われるアンテナポートの数に基づき得る。
【００３６】
[0050]ＲＳ密度スキームは、いくつかのＵＥまたはポートカウントについて、ＰＲＢ内での基準信号送信のために使用されるリソース要素（ＲＥ）の数を増大させ、したがって、ＵＥがチャネル状態を測定し、報告するための追加機会を提供し得る。チャネル状態は、信号フェーズ、信号振幅、信号強度、信号干渉、信号歪み、信号対ノイズ比（ＳＮＲ）、信号対干渉プラスノイズ比（ＳＩＮＲ）、信号対ノイズプラス歪み比（ＳＮＤＲ）、チャネル係数などのような状態を含み得るが、それらに限定されるわけではない。いくつかの態様において、ＲＳ密度スキームは、ＵＥのためのカバレージ拡張（たとえば、１５ｄＢカバレージ改善）に、ＵＥ用の送信モード（たとえば、ユニキャスト送信、ブロードキャスト送信など）に、および同類のものに少なくとも部分的に基づき得る。いくつかの例では、追加されたＲＥ（たとえば、増大したＲＳ密度）は、電力ランピングされてもよく、たとえば、いくつかのＲＥは、他のＲＥよりも大きい電力で送信され得る。
【００３７】
[0051]以下の説明は例を与えるものであり、特許請求の範囲に記載される範囲、適用可能性、または例を限定するものではない。本開示の範囲から逸脱することなく、説明される要素の機能および構成に変更が行われ得る。様々な例が、適宜に様々な手順または構成要素を省略、置換、または追加してよい。たとえば、説明される方法は、説明されるのとは異なる順序で実施されてよく、様々なステップが追加、省略、または組み合わされてよい。また、いくつかの例に関して説明する特徴は、他の例において組み合わせられてもよい。
【００３８】
[0052]図１は、本開示の態様によるワイヤレス通信システム１００の例を示す。ワイヤレス通信システム１００は、基地局１０５と、ＵＥ１１５と、コアネットワーク１３０とを含む。コアネットワーク１３０は、ユーザ認証、アクセス許可、追跡、インターネットプロトコル（ＩＰ）接続、および他のアクセス機能、ルーティング機能、またはモビリティ機能を提供し得る。基地局１０５は、バックホールリンク１３２（たとえば、Ｓ１など）を通してコアネットワーク１３０とインターフェースし、ＵＥ１１５との通信のための無線構成およびスケジューリングを実施し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接的にまたは間接的に（たとえば、コアネットワーク１３０を通して）通信し得る。
【００３９】
[0053]基地局１０５は、１つまたは複数の基地局アンテナを介してＵＥ１１５とワイヤレス通信し得る。基地局１０５のサイトの各々は、それぞれの地理的カバレージエリア１１０に通信カバレージを提供し得る。いくつかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ、または何らかの他の適切な用語で呼ばれることがある。基地局１０５のための地理的カバレージエリア１１０は、カバレージエリアの一部分を構成するセクタ（図示されず）に分割され得る。ワイヤレス通信システム１００は、異なるタイプの基地局１０５（たとえば、マクロセル基地局および／またはスモールセル基地局）を含み得る。基地局１０５は、１つまたは複数の通信技術を用いて通信するように構成されてよく、各通信技術は、関連付けられた地理的カバレージエリア１１０を有し得る。第１の通信技術用の地理的カバレージエリア１１０は、第２の通信技術用の地理的カバレージエリア１１０と重なる場合があり、第１および第２の通信技術は、同じ基地局１０５、または異なる基地局１０５に関連付けられ得る。
【００４０】
[0054]いくつかの例では、ワイヤレス通信システム１００はＬＴＥ／ＬＴＥ−Ａネットワークである。ＬＴＥ／ＬＴＥ−Ａネットワークでは、発展型ノードＢまたは拡張ノードＢ（ｅＮＢ）という用語は、概して、基地局１０５を記述するために使用され得る。ワイヤレス通信システム１００は、異なるタイプのｅＮＢが様々な地理的領域にカバレージを提供する、異種ＬＴＥ／ＬＴＥ−Ａネットワークであり得る。たとえば、各ｅＮＢまたは基地局１０５は、マクロセル、スモールセル、および／または他のタイプのセルに通信カバレージを提供し得る。「セル」という用語は、コンテキストに応じて、基地局、基地局に関連するキャリアもしくはコンポーネントキャリア、またはキャリアもしくは基地局のカバレージエリア（たとえば、セクタなど）を表すために使用され得る３ＧＰＰ（登録商標）用語である。
【００４１】
[0055]マクロセルは、概して、比較的大きい地理的エリア（たとえば、半径数キロメートル）をカバーし、ネットワークプロバイダとのサービスに加入しているＵＥによる無制限アクセスを可能にすることができ得る。スモールセルは、マクロセルと比較して、マクロセルと同じまたは異なる（たとえば、認可、無認可などの）周波数帯域内で動作し得る、低電力基地局である。スモールセルは、様々な例によると、ピコセルと、フェムトセルと、マイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００４２】
[0056]ワイヤレス通信システム１００は、同期動作または非同期動作をサポートし得る。同期動作の場合、基地局は、同様のフレームタイミングを有し得、異なる基地局からの送信は、時間的にほぼ整合され得る。非同期動作の場合、基地局は、異なるフレームタイミングを有し得、異なる基地局からの送信は、時間的に整合されない場合がある。本明細書で説明する技法は、同期動作または非同期動作のいずれかのために使われ得る。
【００４３】
[0057]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信はＩＰベースであり得る。無線リンク制御（ＲＬＣ）レイヤは、論理チャネルを介して通信するためにパケットのセグメンテーションとリアセンブリとを実施することができる。媒体アクセス制御（ＭＡＣ）レイヤは、優先度処理と、トランスポートチャネルへの論理チャネルの多重化とを実施することができる。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００４４】
[0058]ＵＥ１１５は、ワイヤレス通信システム１００全体にわたって分散される場合があり、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、もしくは何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、比較的低スループットのアプリケーションなどを有し得る自動化計器、センサーなどを含み得るマシンタイプ通信（ＭＴＣ）デバイス、拡張もしくは発展ＭＴＣ（ｅＭＴＣ）デバイスなどであってよく、またはそのようなデバイスとして別の方法で動作していてよい。ＵＥは、マクロｅＮＢ、スモールセルｅＮＢ、リレー基地局などを含む様々なタイプの基地局およびネットワーク機器と通信することが可能であり得る。
【００４５】
[0059]いくつかの例では、ＵＥ１１５は、基地局１０５との通信を禁止するエリアに置かれたＭＴＣまたはｅＭＴＣデバイスである。ＭＴＣは、たとえば、ＭＴＣデバイスが基地局１０５から送信を有効受信する可能性を制限し得る地下または機器キャビネットに置かれる場合がある。基地局１０５はしたがって、ＭＴＣデバイスとの通信が成功する見込みを向上または増大させるのに、カバレージ拡張（ＣＥ）技法を利用することができる。カバレージ拡張技法は、信号の有効送信電力を増大させるいくつかの送信戦略を含み得る。
【００４６】
[0060]例として、ＣＥ技法は、反復送信、ＴＴＩバンドリング、ＨＡＲＱ再送信、物理アップリンク共有チャネル（ＰＵＳＣＨ）ホッピング、ビームフォーミング、電力増強、または他の技法を含み得る。使用されるＣＥ技法は、異なる状況におけるデバイスの固有の需要に依存し得る。たとえば、ＴＴＩバンドリングは、冗長性バージョンを再送信する前に否定応答（ＮＡＣＫ）を待つのではなく、連続するＴＴＩのグループ中に、同じ情報の複数のコピーを送ることを伴い得る。これは、ＶｏＬＴＥまたはボイスオーバーＩＰ（ＶＯＩＰ）通信に関与するユーザにとって有効であり得る。他のケースでは、ＨＡＲＱ再送信の数も増大され得る。アップリンクデータ送信が、周波数ダイバーシティを達成するために、周波数ホッピングを使って送信され得る。ビームフォーミングが、特定の方向において信号の強度を増大させるのに使われてよく、または送信電力が単に増大されればよい。いくつかのケースでは、１つまたは複数のＣＥオプションが組み合わされてよく、技法が信号を改善することが予想されるデシベル数に基づいて、ＣＥレベルが定義され得る（たとえば、ＣＥなし、５ｄＢ  ＣＥ、１０ｄＢ  ＣＥ、１５ｄＢ  ＣＥなど）。追加または代替として、カバレージ拡張技法は、より高密度のＲＳ密度スキームの選択を含み得る。
【００４７】
[0061]ワイヤレス通信システム１００に示された通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は、順方向リンク送信と呼ばれる場合もあり、アップリンク送信は、逆方向リンク送信と呼ばれる場合もある。各通信リンク１２５は１つまたは複数のキャリアを含んでよく、各キャリアは、上述した様々な無線技術に従って変調された、複数のサブキャリアからなる信号（たとえば、異なる周波数の波形信号）であってよい。各被変調信号は、異なるサブキャリア上で送られ得、制御情報（たとえば、基準信号、制御チャネルなど）、オーバーヘッド情報、ユーザデータなどを搬送し得る。通信リンク１２５は、（たとえば、対スペクトルリソースを使用する）周波数分割複信（ＦＤＤ）または（たとえば、不対スペクトルリソースを使用する）時分割複信（ＴＤＤ）動作を使用して、双方向通信を送信し得る。ＦＤＤ用のフレーム構造（たとえば、フレーム構造タイプ１）およびＴＤＤ用のフレーム構造（たとえば、フレーム構造タイプ２）が定義され得る。
【００４８】
[0062]ワイヤレス通信システム１００のいくつかの例では、基地局１０５またはＵＥ１１５は、基地局１０５とＵＥ１１５との間の通信品質と信頼性とを改善するために、アンテナダイバーシティスキームを採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を用い得る。
【００４９】
[0063]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれる場合もある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００５０】
[0064]いくつかの例では、基地局１０５は、ＲＳ密度スキームを、利用可能ＲＳ密度スキームのセットから選択すればよい。いくつかの例では、ＲＳ密度スキームの選択は、ＲＳを送信するのに使われる利用可能アンテナポートの数ならびにＲＳが送信されている先のＵＥ１１５のモバイルデバイスカテゴリまたはモバイルデバイス能力に基づき得る。ＵＥ１１５のいくつかのカテゴリまたは能力について、基地局は、追加チャネル測定、干渉測定、および推定サポートを提供するために、ＰＲＢ内で送信されるＲＳの密度の増加を選択し得る。たとえば、ＵＥ１１５は、チャネルの状態についてのより明快であり明確なフィードバック情報を与えるための追加ＲＳ測定を行うために、ＰＲＢ内で増大ＲＳ密度を使うｅＭＴＣであってよい。したがって、基地局１０５は、送信特性決定が基づくべきより多くの情報、たとえば、変調およびコーディングスキーム（ＭＣＳ）、スループット能力、データレート、送信電力などを有し得る。したがって、基地局１０５は、特定のカテゴリに関連付けられるか、またはそのカテゴリにおいて別の方法で動作するＵＥ１１５をサポートするための追加チャネル測定および報告機会を提供するように、ＲＳ密度スキームを調節することができる。いくつかの例では、基地局１０５は、選択されたＲＳ密度スキームを示すメッセージをＵＥ１１５に送ってよい。基地局１０５は、たとえば、ダウンリンク制御情報（ＤＣＩ）要素を制御チャネル中で送信すればよく、ＤＣＩは、特定のＲＳ密度スキームを示し得る。
【００５１】
[0065]図２は、本開示の態様による、ワイヤレス通信における基準信号設計の態様を示すメッセージフロー図２００を示す。メッセージフロー図２００は、図１を参照して説明したワイヤレス通信システム１００の態様を示し得る。メッセージフロー図２００は、ソースセル２０５とモバイルデバイス２１０とを含む。ソースセル２０５は、図１を参照して説明した基地局１０５のうちの１つまたは複数の、態様の例であり得る。モバイルデバイス２１０は、図１を参照して説明したＵＥ１１５のうちの１つまたは複数の、態様の例であり得る。概して、メッセージフロー図２００は、ワイヤレス通信システムにおいて基準信号密度スキーム設計を実装する態様を示す。いくつかの例では、図１を参照して説明したＵＥ１１５または基地局１０５のうちの１つなどのシステムデバイスが、以下で説明する機能の一部または全部を実行するようにデバイスの機能要素を制御するためのコードのセットを実行し得る。
【００５２】
[0066]ブロック２１５において、ソースセル２０５は、モバイルデバイス２１０のモバイルデバイスカテゴリまたはモバイルデバイス能力を識別し得る。様々な例において、モバイルデバイス２１０は、識別されたカテゴリに関連付けられるか、またはそのカテゴリにおいて別の方法で動作していてよい。たとえば、モバイルデバイス２１０は、様々なパラメータに基づくカテゴリにおいて動作するように選択的に構成される可能性を指すモバイルデバイス能力を有し得る。いくつかの例では、モバイルデバイスカテゴリまたはモバイルデバイス能力は、ソースセル２０５を介して他の場合に利用可能であるよりも低減された通信リソース、たとえば、低減されたデータレート、低減された帯域幅などを使うための、モバイルデバイス２１０の構成に関連し得る。モバイルデバイス２１０は、低コストＵＥ、ＭＴＣデバイス、ｅＭＴＣデバイスなどであってよい。追加または代替として、モバイルデバイス２１０についてのモバイルデバイスカテゴリまたはモバイルデバイス能力は、カバレージ拡張から、特定の送信モードをサポートするように選択された通信構成から、その他から、利益を受け得るモバイルデバイス２１０に関連付けられ得る。
【００５３】
[0067]ブロック２２０において、ソースセル２０５は、チャネルに関連付けられた１つまたは複数のパラメータを識別し得る。たとえば、ソースセル２０５は、ソースセル２０５にとってチャネル上でのＲＳ送信のために利用可能なアンテナポート、または単に「ポート」、の数を識別することができる。様々な例において、ソースセル２０５は、モバイルデバイス２１０にＲＳを送信するのに利用可能な１つのポート、２つのポート、３つのポートなどを有し得る。ポートカウントは、ソースセル２０５の構成に、ソースセル２０５の利用可能（または空き）ポートに、および同類のものに少なくとも部分的に基づいて決定され得る。いくつかの例では、モバイルデバイス２１０は、たとえば、物理ブロードキャストチャネル（ＰＢＣＨ）と、関連付けられたＲＳ周波数偏移とを復号することによって、ソースセル２０５についてのポートカウントを意識することができる。追加または代替として、モバイルデバイス２１０は、ＰＢＣＨを復号することによって、ソースセル２０５のサポートされるシステム帯域幅を意識することができる。
【００５４】
[0068]ブロック２２５において、ソースセル２０５は、ＲＳ密度スキームを、ＲＳ送信に利用可能なＲＳ密度スキームのセットから選択することができる。いくつかの例では、ＲＳ密度スキームの選択は、チャネルに関連付けられたパラメータに少なくとも部分的に基づき、追加または代替として、モバイルデバイス２１０のモバイルデバイスカテゴリまたはモバイルデバイス能力に少なくとも部分的に基づき得る。いくつかの例では、選択されたＲＳ密度スキームは、所与のＰＲＢ内のＲＳ（たとえば、ＲＥ）の追加インスタンスを提供し得る。選択されたＲＳ密度スキームに従って送信されるＲＳは、セル固有基準信号（ＣＲＳ）、ＵＥ固有基準信号と呼ばれ得る復調基準信号（ＤＭ−ＲＳ）、またはそれらの組合せを含み得る。
【００５５】
[0069]いくつかの態様において、選択されたＲＳ密度スキームは、ブロードキャスト送信、ユニキャスト送信、または両方をサポートすることができる。たとえば、ＭＴＣシステム情報ブロック（ＳＩＢ）が、選択されたＲＳ密度スキームのインジケーションを与え得る。選択されたＲＳ密度スキームは、送信時間間隔（ＴＴＩ）バンドリングならびにＴＴＩに対する非バンドリングをサポートし得る。選択されたＲＳ密度スキームは、標準長ＣＰならびに拡張長ＣＰをサポートし得る。いくつかの例では、選択されたＲＳ密度スキームは、異種ネットワーク、たとえば、認可または無認可スペクトルを使用するＬＴＥシステムをサポートし得る。
【００５６】
[0070]２３０において、ソースセル２０５は、任意選択で、選択されたＲＳ密度スキームのインジケーションを含む信号をモバイルデバイス２１０に送ってよく、これは、専用のシグナリングまたはブロードキャスト送信によって送信され得る。たとえば、ソースセル２０５は、選択されたＲＳ密度スキームをモバイルデバイス２１０に知らせるために、制御チャネルを介してＤＣＩ要素を送ればよい。代替として、ソースセル２０５は、選択されたＲＳ密度スキームのインジケーションの一部または全部をモバイルデバイス２１０に送らなくてもよい。そうではなく、モバイルデバイス２１０は、ＲＳ送信に関連付けられたＲＥをモニタすることを試み、成功した場合、ＲＳがチャネル測定または干渉測定を対象としている、すなわち、選択されたＲＳ密度スキームによるＲＳであると決定すればよい。一例として、モバイルデバイス２１０は、巡回冗長検査（ＣＲＣ）を使ってＲＳを盲目的に復号することを試み、ＣＲＣが成功した場合、ＲＳが、選択されたＲＳ密度スキームによるチャネル推定および測定を対象としていると決定すればよい。
【００５７】
[0071]２３５において、ソースセル２０５は、選択されたＲＳ密度スキームに従って、モバイルデバイス２１０にＲＳを送ればよい。様々な例において、ソースセル２０５は、ＣＲＳ、ＤＭ−ＲＳ、またはそれらの組合せを、ＲＳ密度スキームによって定義されるＰＲＢ／サブフレームのリソース要素中で送ればよい。
【００５８】
[0072]図３Ａ〜図３Ｅは、それぞれ、本開示の態様による例示的なＲＳ密度スキームの態様を示す図表３００−ａ〜３００−ｅを示す。図表３００は、図１を参照して説明したワイヤレス通信システム１００の態様を示し得る。図１または図２に関して上述した基地局１０５のうちの１つまたは複数が、図表３００の態様を実装することができる。たとえば、図表３００は集合的に、ＲＳ密度スキームのセットを示すことができ、ＲＳ密度スキームのうちのどの１つまたは複数も、いくつかの例ではポートカウント、モバイルデバイスカテゴリ、またはモバイルデバイス能力であってよい、チャネルに関連付けられたパラメータのうちの任意の１つまたは複数に関連付けられ得る。基地局１０５は、ＲＳ密度スキームのうちの１つを、ＵＥ１１５へのＲＳ送信用に選択すればよい。いくつかの例では、ＵＥ１１５または基地局１０５のうちの１つなどのシステムデバイスが、図３Ａ〜図３Ｅを参照して説明する図表３００に関して示す機能の一部または全部を実行するようにデバイスの機能要素を制御するためのコードのセットを実行し得る。
【００５９】
[0073]図表３００に示す例示的なＲＳ密度スキームは概して、２つのＰＲＢを含むサブフレーム中で表され、たとえば、各ＰＲＢが、１２個のサブキャリア（トーンインデックス０〜１１として識別される）と、７つのシンボル（２つのＰＲＢについて、それぞれシンボルインデックス０〜６および７〜１３として識別される）とを含む。したがって、各ＰＲＢは、８４個のリソース要素（ＲＥ）（１２個のサブキャリアかける７つのシンボル）を含み、サブフレームは、データまたは制御情報送信に利用可能な、合計１６８個のＲＥを含む。基地局１０５は、ＵＥにおけるチャネル推定または干渉測定のために、特定のＲＳ密度スキームに依存して、いくつかのＲＥ中でＲＳを送信することができる。前に論じたように、基地局１０５についてのポートカウントなど、チャネルに関連付けられたパラメータが、少なくともある程度まで、ＲＳ送信用のＲＥの数または場所を決定するのに使われ得る。
【００６０】
[0074]たとえば、および図３Ａに示すように、図表３００−ａに示すＲＳ密度スキームは、１ポートＲＳ送信に関連付けられてよく、任意のカテゴリに関連付けられるか、または任意のカテゴリにおいて別の方法で動作しているＵＥ１１５に適用可能なＲＳ密度スキーム用に選択され得る。いくつかの例では、図表３００−ａに示すＲＳ密度スキームは、より低密度のＲＳ密度スキームと呼ばれ得る。図３Ａに示すように、基地局１０５は、それぞれ、トーンインデックス０、３、６、および９、ならびにシンボルインデックス０、４、７、および１１に対応するＲＥ中に、１ポートアンテナ（アンテナポート「０」として識別される）を介して１６個のＲＳ（ＰＲＢごとに８ＲＳ）を送信することができる。すなわち、基地局１０５は、１６個のＲＳが送信されるまで、トーンインデックス０、シンボルインデックス０においてＲＳを、トーンインデックス３、シンボルインデックス０において別のＲＳを送信し、以下同様にすればよい。いくつかの態様において、図表３００−ａに示すＲＳ密度スキームは、モバイルデバイスカテゴリまたはモバイルデバイス能力に関連付けられたＵＥ１１５、たとえば、関連付けられた基地局１０５の全能力を使って通信するＭＴＣまたは他のデバイスに適用可能であり得る。したがって、基地局１０５は、いくつかの態様において、ＵＥ１１５への、ＲＳ密度スキームのインジケーションのオーバーヘッドシグナリングを回避することができる。
【００６１】
[0075]別の例として、および図３Ｂに示すように、図表３００−ｂに示すＲＳ密度スキームも、１ポートＲＳ送信に関連付けられてよく、いくつかのカテゴリに関連付けられるか、またはそれらのカテゴリにおいて別の方法で動作しているＵＥ１１５にとって有利なＲＳ密度スキーム用に選択され得る。図表３００−ｂに示すＲＳ密度スキームは、少なくとも、図表３００−ａに示す、より低密度のＲＳ密度スキームと比較して、より高密度のＲＳスキームであってよい。いくつかの例では、図表３００−ｂに示すＲＳ密度スキームは、あらかじめ規定されたモバイルデバイスカテゴリまたはモバイルデバイス能力に関連付けられるか、またはそれにおいて別の方法で動作するＵＥ１１５、たとえば、狭帯域ＵＥ、ＭＴＣデバイス、ｅＭＴＣデバイスなどとの通信に基づいて、基地局１０５によって選択され得る。いくつかの態様において、通信およびＲＳ密度スキームに関連付けられたＵＥ１１５のカテゴリは、より低い機能要件、たとえば、狭帯域、低データレートなどに対応し得る。言い換えると、ＵＥのカテゴリは、ＵＬおよびＤＬ通信に関するＵＥの能力を基地局に示し得る。概して、図表３００−ｂに示すＲＳ密度スキームは、たとえば、図３Ａに示すＲＳ密度スキームと比較して、ＰＲＢまたはサブフレームごとの追加ＲＳを含む。図３Ｂに示すように、基地局は、サブフレームごとに合計２０個のＲＥ（またはＲＳの２０個のインスタンス）について、シンボルインデックス８ならびにトーンインデックス０、３、６、および９において、ＲＳ（たとえば、ＲＥ）の４個の追加インスタンスを送信し得る。したがって、ＵＥ１１５は、サブフレームについて追加の４つのチャネル測定、推定、および報告機会を有し得る。
【００６２】
[0076]いくつかの例では、図表３００−ａの、より低密度のＲＳ密度スキームで送信されるＲＳはＣＲＳであってよく、図表３００−ｂに示す、より高密度のＲＳ密度スキームで送信される余剰ＲＥは、ＣＲＳ、ＤＭ−ＲＳ、またはそれらの組合せであってよい。いくつかの例では、ＲＥは、ＤＭ−ＲＳ送信用にスケジュールされてよく、ここでＤＭ−ＲＳ信号は、ＣＲＳ送信と同様にして、チャネル推定に使われ得る。したがって、ＤＭ−ＲＳ  ＲＥ中でのＣＲＳタイプＲＳの送信は、ＲＳ設計上の検討事項を増大させ得る。追加または代替として、基地局１０５は、追加されたＲＥ中でＤＭ−ＲＳを送信し得る。ＤＭ−ＲＳ  ＲＥは、知られているプリコーダを用いてコーディングされてもよく、またはプリコードされなくてもよい。ＤＭ−ＲＳを受信するＵＥ１１５は、チャネル推定を決定するための様々な組合せ機能、たとえば、重み付け、平均化などを実施することができる。たとえば、ＵＥ１１５は、ＣＲＳ  ＲＥを使ってチャネル状態を測定し、次いで、ＤＭ−ＲＳ  ＲＥのチャネル測定または干渉測定を実施し、両方の測定セットに基づいて、チャネル推定または干渉推定報告向けのチャネル状態のインデックスを決定することができる。
【００６３】
[0077]いくつかの例では、ＲＳ密度スキームにおいて使用するためのＤＭ−ＲＳ  ＲＥの選択は、ＵＥ１１５のカバレージ要求に基づき得る。たとえば、基地局１０５に対して拡張カバレージを必要としないＵＥ１１５は、ＣＲＳ  ＲＥを受信するようにスケジュールされ得る。別の例として、ＤＭ−ＲＳ  ＲＥは、ＵＥ１１５の送信モードに基づいて、ＲＳ密度スキームに含めるために選択されてよく、たとえば、ＤＭ−ＲＳ  ＲＥは、チャネル推定または干渉推定報告を改善するために、他のＤＭ−ＲＳ  ＲＥに関連付けられ得る。他の例では、ＲＳ密度スキームに含まれるべきＤＭ−ＲＳ  ＲＥの選択は、制御チャネルまたはデータチャネル、たとえば、物理ダウンリンク制御チャネル（ＰＤＣＣＨ）および物理ダウンリンク共有チャネル（ＰＤＳＣＨ）について同じであっても、または異なってもよい。
【００６４】
[0078]図３Ｃおよび図３Ｄを参照すると、本開示の様々な態様による、２ポートＲＳ送信のための例示的なＲＳ密度スキームが示されている。概して、図表３００−ｃに示すＲＳ密度スキームは、より低密度のＲＳ密度スキームであってよく、任意のカテゴリに関連付けられるか、または任意のカテゴリにおいて別の方法で動作するＵＥ１１５用に選択されてよく、図表３００−ｄに示すＲＳ密度スキームは、より高密度のＲＳ密度スキームであってよく、特定のカテゴリに関連付けられるか、またはそのカテゴリにおいて別の方法で動作するＵＥ１１５、たとえば、低減された通信リソースを使用するｅＭＴＣデバイス用に選択され得る。基地局１０５は、選択されたＲＳ密度スキームに従って、２つのアンテナポート（ポート「０」および「１」として識別される）を介してＲＳを送信することができる。図表３００−ｃに示すＲＳ密度スキームは、１６個のＲＥがサブフレーム内で送信されることを含み得る。対照的に、図表３００−ｄに示すＲＳ密度スキームは、合計２０個のＲＳ  ＲＥに対して、４つの追加ＲＥが送信されることを含み得る。これは、特定のカテゴリにおいて動作するＵＥ１１５が、チャネル状態を測定し、報告するための追加機会を提供し、これは、ＵＥ１１５用のカバレージを改善するのに使われ得る。
【００６５】
[0079]いくつかのケースでは、図表３００−ｂおよび３００−ｄに示す、より高密度のＲＳ密度スキームは後方互換性がある。たとえば、図表３００−ｂおよび３００−ｄの、より高密度のＲＳ密度スキームは、それぞれ、図表３００−ａおよび３００−ｃの、より低密度のＲＳ密度スキームに従って、ＲＳが送信されることを含む。したがって、たとえば、より高密度のＲＳ密度スキームをサポートしないＵＥ１１５は、依然として、ＲＳの既知の場所に基づいて、チャネル推定または干渉推定手順を実施することが可能であり得る。本開示のＲＳ密度スキームをサポートするＵＥ１１５は、ただし、追加されたチャネル測定、干渉測定、および報告機会のために、図表３００−ｂおよび３００−ｄに示すＲＳ密度スキームの追加ＲＥを使うことが可能であり得る。
【００６６】
[0080]別の例として、および図３Ｅに示すように、本開示の様々な態様に従って、４ポートＲＳ送信が利用され得る。いくつかの例では、図表３００−ｅに示すＲＳ密度スキームは、任意のカテゴリに関連付けられるか、または任意のカテゴリにおいて別の方法で動作するＵＥ１１５用に選択され得る。基地局１０５は、トーンインデックス０、３、６、および９、ならびにシンボルインデックス０、１、４、７、８、および１１に関連付けられたＲＥ中のＲＳの２４個のインスタンスを送信することができる。基地局１０５は、４つのアンテナポート（ポート「０」、「１」、「２」、および「３」として識別される）を使って、２４個のＲＳを送信すればよい。したがって、ＵＥ１１５は、チャネル推定および報告のための十分な機会を有し得る。
【００６７】
[0081]図４は、本開示の態様による、ワイヤレス通信における基準信号設計の態様を示すメッセージフロー図４００を示す。メッセージフロー図４００は、図１を参照して説明したワイヤレス通信システム１００の態様を示し得る。メッセージフロー図４００は、ソースセル４０５とモバイルデバイス４１０とを含む。ソースセル４０５は、図１もしくは図３を参照して説明した基地局１０５、または図２を参照して説明したソースセル２０５のうちの１つまたは複数の、態様の例であり得る。モバイルデバイス４１０は、図１もしくは図３を参照して上で説明したＵＥ１１５、または図２を参照して説明したモバイルデバイス２１０のうちの１つまたは複数の、態様の例であり得る。概して、メッセージフロー図４００は、ワイヤレス通信システムにおいて基準信号密度スキーム設計を実装する態様を示す。いくつかの例では、図１もしくは図３を参照して記載したＵＥ１１５もしくは基地局１０５、または図２を参照して記載したソースセル２０５もしくはモバイルデバイス２１０のうちの１つなどのシステムデバイスは、以下で説明する機能の一部または全部を実施するように、デバイスの機能要素を制御するためのコードのセットを実行することができる。
【００６８】
[0082]ブロック４１５において、ソースセル４０５は、モバイルデバイス４１０のモバイルデバイスカテゴリまたはモバイルデバイス能力を識別し得る。いくつかの例では、カテゴリは、ソースセル４０５、たとえばｅＭＴＣデバイスを介して他の場合に利用可能であるよりも低減された通信リソース、たとえば、低減されたデータレート、低減された帯域幅などを使うための、モバイルデバイス４１０の構成に関連し得る。追加または代替として、モバイルデバイス４１０についてのモバイルデバイスカテゴリまたはモバイルデバイス能力は、カバレージ拡張から、特定の送信モードをサポートするように選択された通信構成から、その他から、利益を受け得るモバイルデバイス４１０に関連付けられ得る。
【００６９】
[0083]ブロック４２０において、ソースセル４０５は、チャネルに関連付けられたパラメータを識別し得る。たとえば、いくつかの例では、ソースセル４０５は、ソースセル４０５にとってＲＳ送信に利用可能なポートの数を識別することができる。様々な例において、ソースセル４０５は、モバイルデバイス４１０にＲＳを送信するのに利用可能な１つのポート、２つのポート、３つのポートなどを有し得る。ポートカウントは、ソースセル４０５の構成に、ソースセル４０５の利用可能（または空き）ポートに、および同類のものに少なくとも部分的に基づいて決定され得る。いくつかの例では、モバイルデバイス４１０は、たとえば、物理ブロードキャストチャネル（ＰＢＣＨ）と、関連付けられたＲＳ周波数偏移とを復号することによって、ソースセル４０５についてのポートカウントを意識することができる。追加または代替として、モバイルデバイス４１０は、ＰＢＣＨを復号することによって、ソースセル４０５のサポートされるシステム帯域幅を意識することができる。
【００７０】
[0084]ブロック４２５において、ソースセル４０５は、ＲＳ密度スキーム、たとえば、図表３００に示すＲＳ密度スキームのうちの任意の１つを、ＲＳ送信に利用可能なＲＳ密度スキームのセットから選択することができる。たとえば、ＲＳ密度スキームは、ソースセル４０５のポートカウントに少なくとも部分的に基づいてよく、追加または代替として、モバイルデバイス４１０のモバイルデバイスカテゴリもしくはモバイルデバイス能力、またはモバイルデバイス４１０がその中で別の方法で動作しているカテゴリに少なくとも部分的に基づいてよい。いくつかの例では、ＲＳ密度スキームは、所与のＰＲＢ内の追加ＲＳ、たとえば、図表３００−ｂまたは３００−ｄに示すＲＳ密度スキームを提供し得る。選択されたＲＳ密度スキームに従って送信されるＲＳは、セル固有基準信号（ＣＲＳ）、ＵＥ固有基準信号と呼ばれ得る復調基準信号（ＤＭ−ＲＳ）、またはそれらの組合せを含み得る。
【００７１】
[0085]いくつかの態様において、ＲＳ密度スキームは、ブロードキャストとユニキャスト送信の両方をサポートすることができる。たとえば、ＭＴＣシステム情報ブロック（ＳＩＢ）が、ＲＳ密度スキームのインジケーションを与え得る。ＲＳ密度スキームは、ＴＴＩバンドリングならびにＴＴＩに対する非バンドリングをサポートし得る。ＲＳ密度スキームは、標準長サイクリックプレフィックス（ＣＰ）ならびに拡張長ＣＰをサポートし得る。いくつかの例では、ＲＳ密度スキームは、異種ネットワーク、たとえば、認可または無認可スペクトルを使用するＬＴＥシステムをサポートし得る。
【００７２】
[0086]４３０において、ソースセル４０５は、選択されたＲＳ密度スキームのインジケーションを含む信号をモバイルデバイス４１０に送ってよく、これは、専用のシグナリングまたはブロードキャスト送信中で送信され得る。たとえば、ソースセル４０５は、選択されたＲＳ密度スキームをモバイルデバイス４１０に知らせるために、制御チャネルを介してＤＣＩ要素を送ればよい。いくつかの例では、ソースセル４０５は、ＤＣＩ要素により、選択されたＲＳ密度スキームにおいて、ＤＭ−ＲＳ  ＲＥが使用されているかどうかというインジケーションを送ることもできる。ただし、モバイルデバイス４１０は、たとえば、ＰＢＣＨを復号することにより、利用可能ポートカウントおよび／またはそのカテゴリの知識に基づいて、選択されたＲＳ密度スキームの態様を決定することができる。
【００７３】
[0087]４３５において、ソースセル４０５は、選択されたＲＳ密度スキームに従って、モバイルデバイス４１０にＲＳを送ればよい。様々な例において、ソースセル４０５は、ＣＲＳ、ＤＭ−ＲＳ、またはそれらの組合せを、ＲＳ密度スキームによって定義されるＰＲＢ／サブフレームのＲＥ中で送ればよい。
【００７４】
[0088]ブロック４４０において、モバイルデバイス４１０は、送信されたＲＳ  ＲＥについて、チャネル推定または干渉推定のうちの少なくとも１つを決定することができる。たとえば、モバイルデバイス４１０は、様々なチャネル状態パラメータ、たとえば、信号対ノイズ比、信号対干渉ノイズ比などを、選択されたＲＳ密度スキームに従って送信されたＲＳの測定に基づいて決定することができる。ＲＳ密度スキームがＣＲＳとＤＭ−ＲＳとを含むいくつかの例では、モバイルデバイス４１０は、チャネル推定または干渉推定を決定するために、様々な組合せ機能を実施することができる。
【００７５】
[0089]４４５において、モバイルデバイス４１０は、チャネル測定および推定または干渉測定および推定のインジケーションを含むメッセージをソースセル４０５に送り得る。追加ＲＥをもつ、より高密度のＲＳ密度スキームが選択された例では、チャネル推定または干渉推定報告は、改善された、および／またはより正確なチャネル状態決定を提供し得る。したがって、ソースセル４０５は、チャネル状態に関する改善された情報を有し、したがって、ＭＣＳ選択、スループット能力、データレート、送信電力などに関して、より情報に基づく決定を行うことができる。
【００７６】
[0090]図５は、本開示の態様による、ワイヤレス通信における基準信号設計の態様を示すメッセージフロー図５００を示す。メッセージフロー図５００は、図１を参照して説明したワイヤレス通信システム１００の態様を示し得る。メッセージフロー図５００は、ソースセル５０５とモバイルデバイス５１０とを含む。ソースセル５０５は、図１もしくは図３を参照して説明した基地局１０５、または図２もしくは図４を参照して説明したソースセル２０５もしくは４０５のうちの１つまたは複数の、態様の例であり得る。モバイルデバイス５１０は、図１もしくは図３を参照して説明したＵＥ１１５、または図２もしくは図４を参照して説明したモバイルデバイス２１０もしくは４１０のうちの１つまたは複数の、態様の例であり得る。概して、メッセージフロー図５００は、ワイヤレス通信システムにおいて基準信号密度スキーム設計を実装する態様を示す。いくつかの例では、ＵＥ１１５、基地局１０５、ソースセル２０５もしくは４０５、またはモバイルデバイス２１０もしくは４１０のうちの１つなどのシステムデバイスが、以下で説明する機能の一部または全部を実施するように、デバイスの機能要素を制御するためのコードのセットを実行し得る。
【００７７】
[0091]５１５において、ソースセル５０５は、ＲＳ密度スキームのセットから選択されたＲＳ密度スキームのインジケーションを含む信号をモバイルデバイス５１０に送ればよい。ＲＳ密度スキームは、モバイルデバイス５１０のモバイルデバイスカテゴリまたはモバイルデバイス能力のうちの任意の１つもしくは複数、またはチャネルに関連付けられた１つもしくは複数のパラメータに少なくとも部分的に基づいて選択されてよく、パラメータは、いくつかの例では、ソースセル５０５のポートカウントに関連し得る。たとえば、ソースセル５０５は、選択されたＲＳ密度スキームをモバイルデバイス５１０に知らせるために、制御チャネルを介してＤＣＩ要素を送ればよい。いくつかの例では、ソースセル５０５は、ＤＣＩ要素により、選択されたＲＳ密度スキームにおいて、ＤＭ−ＲＳ  ＲＥが使用されているかどうかというインジケーションを送ることもできる。
【００７８】
[0092]５２０において、ソースセル５０５は、選択されたＲＳ密度スキームに従って、モバイルデバイス５１０にＲＳを送ればよい。様々な例において、ソースセル５０５は、ＣＲＳ、ＤＭ−ＲＳ、またはそれらの組合せを、ＲＳ密度スキームによって定義されるＰＲＢ／サブフレームのＲＥ中で送ればよい。
【００７９】
[0093]ブロック５２５において、モバイルデバイス５１０は、送信されたＲＳ  ＲＥについて、チャネル推定または干渉推定のうちの少なくとも１つを決定することができる。たとえば、モバイルデバイス５１０は、様々なチャネル状態または干渉状態、たとえば、信号対ノイズ比、信号対干渉ノイズ比などを、選択されたＲＳ密度スキームに従って送信されたＲＳの測定に基づいて決定することができる。ＲＳ密度スキームがＣＲＳとＤＭ−ＲＳとを含むいくつかの例では、モバイルデバイス５１０は、チャネル推定または干渉推定を決定するために、様々な組合せ機能を実施することができる。
【００８０】
[0094]５３０において、モバイルデバイス５１０は、チャネル測定および推定のインジケーションを含むメッセージをソースセル５０５に送り得る。追加ＲＥをもつより高密度のＲＳ密度スキームが選択された例では、チャネル推定報告は、改善された、および／またはより正確なチャネル状態決定を提供し得る。したがって、ソースセル５０５は、チャネル状態に関する改善された情報を有し、したがって、ＭＣＳ選択、スループット能力、データレート、送信電力などに関して、より情報に基づく決定を行うことができる。
【００８１】
[0095]図６は、本開示の態様による、ワイヤレス通信における使用のために構成されたデバイス６０５のブロック図６００を示す。デバイス６０５は、図１もしくは図３を参照して説明したＵＥ１１５、またはそれぞれ図２、図４、もしくは図５を参照して説明したモバイルデバイス２１０、４１０、もしくは５１０のうちの１つまたは複数の、態様の例であり得る。デバイス６０５は、受信機モジュール６１０と、チャネル／干渉推定モジュール６１５と、送信機モジュール６２０とを含み得る。デバイス６０５はまた、プロセッサ（図示せず）であるか、またはそれを含み得る。これらのモジュールの各々は互いと通信している場合がある。
【００８２】
[0096]デバイス６０５の構成要素は、ハードウェアにおいて適用可能な機能の一部または全部を実施するように適応された１つまたは複数の特定用途向け集積回路（ＡＳＩＣ）を使用して、個々にまたは集合的に実装され得る。追加または代替として、機能は、１つまたは複数の集積回路上で、１つまたは複数の他の処理ユニット（またはコア）によって実施され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能は、全体的にまたは部分的に、１つまたは複数の汎用または特定用途向けプロセッサによって実行されるようにフォーマットされた、メモリ中に組み込まれた命令を用いて実装され得る。
【００８３】
[0097]受信機モジュール６１０は、パケット、ユーザデータ、または様々な情報チャネル（たとえば、制御チャネル、データチャネルなど）に関連付けられた制御情報などの情報を受信し得る。受信機モジュール６１０は、ＲＳ密度スキームに従って送信されるＲＳを受信するのに加え、ＲＳ密度スキームのインジケーションを基地局１０５から受信するように構成され得る。情報は、専用のシグナリングまたはブロードキャスト送信中で受信されてよく、ＣＲＳまたはＤＭ−ＲＳのうちの１つもしくは複数、またはそれらの組合せを含み得る。情報は、チャネル／干渉推定モジュール６１５に、およびデバイス６０５の他の構成要素に渡され得る。
【００８４】
[0098]チャネル／干渉推定モジュール６１５は、ＲＳの受信および測定に基づいてチャネル品質インジケーションを決定し、チャネル品質インジケーションを基地局１０５に送信すればよい。チャネル／干渉推定モジュール６１５は、受信機モジュール６１０を介して、デバイス６０５による使用のために選択されたＲＳ密度スキームのインジケーションを基地局１０５から受信し得る。いくつかの例では、チャネル／干渉推定モジュール６１５は、チャネルカバレージのタイプまたはチャネルのためのカバレージ拡張のうちの１つに少なくとも部分的に基づいて、ＲＳ密度スキームを識別することができる。
【００８５】
[0099]いくつかの例では、ＲＳ密度スキームは、デバイス６０５のモバイルデバイスカテゴリまたはモバイルデバイス能力に少なくとも部分的に基づいて、たとえば、デバイス６０５が、ＭＴＣデバイスもしくはｅＭＴＣデバイスであるか、またはそのようなデバイスとして別の方法で動作していることに基づいて、基地局１０５によって選択されていてよい。追加または代替として、ＲＳ密度スキームは、チャネルに関連付けられた１つまたは複数のパラメータに少なくとも部分的に基づいて、基地局１０５によって選択されていてよく、いくつかの例におけるパラメータは、基地局１０５のポートカウント、たとえば、基地局１０５にとってＲＳ送信に利用可能なアンテナポートに関連付けられ得る。したがって、チャネル／干渉推定モジュール６１５は、示されたＲＳ密度スキーム（indicated RS density scheme）に従って送信されたＲＳを受信し、ＲＳに基づいてチャネル測定を実施すればよい。チャネル／干渉推定モジュール６１５は続いて、チャネル推定または干渉推定のうちの少なくとも１つの、インジケーションを、基地局１０５への送信のために送信機モジュール６２０に渡せばよい。
【００８６】
[0100]いくつかの例では、デバイス６０５に追加ＲＳ  ＲＥを与えるために、たとえば、チャネル／干渉推定モジュール６１５が現在のチャネル状態を測定し、報告するための、より多くの機会を提供するために、より高密度のＲＳ密度スキームが選択され得る。したがって、基地局は、チャネル状態に関する改善された情報を有し、したがって、ＭＣＳ選択、スループット能力、データレート、送信電力などに関して、より情報に基づく決定を行うことができる。
【００８７】
[0101]送信機モジュール６２０は、デバイス６０５の他の構成要素から受信された１つまたは複数の信号を送信し得る。送信機モジュール６２０は、チャネル推定情報のインジケーションを基地局１０５に送信すればよい。いくつかの例では、送信機モジュール６２０は、トランシーバモジュール内で受信機モジュール６１０とコロケートされ得る。
【００８８】
[0102]図７は、本開示の態様による、ワイヤレス通信における使用のために構成されたデバイス６０５−ａのブロック図７００を示す。デバイス６０５は、図１もしくは図３を参照して説明したＵＥ１１５、図２、図４、もしくは図５を参照して説明したモバイルデバイス２１０、４１０、もしくは５１０、または図６を参照して説明したデバイス６０５のうちの１つまたは複数の、態様の例であり得る。デバイス６０５−ａは、受信機モジュール６１０−ａと、チャネル／干渉推定モジュール６１５−ａと、送信機モジュール６２０−ａとを含むことができ、これらのモジュールは、デバイス６０５の対応するモジュールの例であり得る。デバイス６０５−ａは、プロセッサ（図示せず）も含み得る。これらの構成要素の各々は、互いと通信していることがある。チャネル／干渉推定モジュール６１５−ａは、ＲＳ密度スキーム決定モジュール７０５と、チャネル／干渉推定決定モジュール７１０と、カバレージ拡張／送信モードモジュール７１５とを含み得る。受信機モジュール６１０−ａおよび送信機モジュール６２０−ａは、それぞれ、図６を参照して記載した受信機モジュール６１０および送信機モジュール６２０の機能を実施し得る。
【００８９】
[0103]ＲＳ密度スキーム決定モジュール７０５は、受信機モジュール６１０−ａを介して、基地局１０５によって選択されたＲＳ密度スキームのインジケーションを含む１つまたは複数のメッセージ、たとえば、制御チャネル中のＤＣＩ要素を、基地局１０５から受信し得る。ＲＳ密度スキーム決定モジュール７０５は、インジケーションに基づいて、ＰＲＢ、ＰＲＢのグループ、サブフレーム、サブフレームのグループ、またはそれらの組合せ内のどのＲＥが、チャネル推定のためのＲＳを含み得るか決定することができる。いくつかの例では、ＲＳ密度スキーム決定モジュール７０５は、チャネルのタイプまたはチャネルのためのカバレージ拡張のうちの１つに少なくとも部分的に基づいて、ＲＳ密度スキームを識別することができる。いくつかの例では、チャネルのタイプは、ブロードキャストチャネルまたはユニキャストチャネルのうちの少なくとも１つを含み得る。いくつかの例では、チャネルのタイプは、制御データまたはデータチャネルのうちの少なくとも１つを含むことができ、データチャネルは、いくつかの例では、ＰＤＣＣＨまたはＰＤＳＣＨであってよい。いくつかのＲＳ密度スキームでは、追加ＲＳ  ＲＥは、デバイス６０５−ａのモバイルデバイスカテゴリ、デバイス６０５−ａのモバイルデバイス能力、またはチャネルの１つもしくは複数のパラメータのうちの少なくとも１つをサポートするために、チャネル推定測定または干渉推定測定のうちの少なくとも１つのために割り振られてよく、パラメータは、いくつかの例では、基地局１０５についてのポートカウントなどに関連付けられ得る。追加または代替として、メッセージは、選択されたＲＳ密度スキームがＣＲＳ、ＤＭ−ＲＳ、それともそれらの組合せを含み得るかのインジケーションを含み得る。
【００９０】
[0104]チャネル／干渉推定決定モジュール７１０は、受信機モジュール６１０−ａまたはＲＳ密度スキーム決定モジュール７０５と協働して、ＲＳ密度スキームに関連付けられたＲＥ中でＲＳを受信し、チャネル状態を決定するためにＲＳを測定すればよい。たとえば、チャネル／干渉推定決定モジュール７１０は、チャネルのうちの１つまたは複数について、チャネルの動作状態を識別するために、干渉レベル、受信信号強度などを決定すればよい。示されたＲＳ密度スキームがＤＭ−ＲＳを含むケースでは、チャネル／干渉推定決定モジュール７１０は、ＣＲＳおよびＤＭ−ＲＳ送信について、チャネル推定または干渉推定を決定するための様々な組合せ機能性、たとえば、重み付け、平均化などを実施してよい。いくつかの態様において、ＤＭ−ＲＳは、拡張チャネル測定および推定または拡張干渉測定および推定を提供するために、ＲＳ密度スキームに含まれ得る。
【００９１】
[0105]カバレージ拡張／送信モードモジュール７１５は、デバイス６０５−ａについて、カバレージ拡張または特定の送信モードのうちの１つまたは複数が適用可能かどうか決定すればよい。たとえば、デバイス６０５−ａは、ＭＴＣデバイス、狭帯域ＭＴＣデバイス、狭帯域ＵＥ、カテゴリ０ＵＥなどであるか、またはそれらとして別の方法で動作中であってよく、これらは、低減された通信要件、たとえば、低減されたデータレート、制限されたデータ送信、より低い帯域幅などに関連付けられ得る。したがって、デバイス６０５−ａは、基地局１０５からのカバレージ拡張から利益を受け得るモバイルデバイスカテゴリまたはモバイルデバイス能力のものであってよい。別の例では、デバイス６０５−ａは、追加チャネル推定または干渉推定測定および報告から利益を得るであろう送信モード、たとえば、バースト性がある送信であってよいブロードキャスト送信を使うことを望む場合がある。したがって、カバレージ拡張／送信モードモジュール７１５は、そのカテゴリおよび／または要件を示す信号を基地局１０５に送ってよい。基地局１０５は、デバイス６０５−ａのカテゴリ／能力／必要性を考慮するＲＳ密度スキームを選択し、したがって、十分なチャネル推定または干渉推定機会を提供するＲＳ密度スキームを選択すればよい。
【００９２】
[0106]図８は、本開示の態様による、ワイヤレス通信における使用のためのシステム８００を示す。システム８００はＵＥ１１５−ａを含むことができ、これは、図１もしくは図３を参照して説明したＵＥ１１５、図２、図４、および図５を参照して説明したモバイルデバイス２１０、４１０、もしくは５１０、または図６および図７を参照して説明したデバイス６０５のうちの１つまたは複数の、態様の例であり得る。
【００９３】
[0107]ＵＥ１１５−ａは、一般に、通信を送信するための構成要素と、通信を受信するための構成要素とを含む双方向の音声および／またはデータ通信のための構成要素を含み得る。ＵＥ１１５−ａは、１つまたは複数のアンテナ８４０と、トランシーバモジュール８３５と、プロセッサモジュール８０５と、（コード８２０を含む）メモリ８１５とを含むことができ、それらはそれぞれ（たとえば、１つまたは複数のバス８４５を介して）直接または間接的に互いに通信し得る。トランシーバモジュール８３５は、上記で説明されたように、１つもしくは複数のアンテナ８４０または１つもしくは複数のワイヤードもしくはワイヤレスリンクを介して、１つまたは複数のネットワークと双方向に通信するように構成され得る。たとえば、トランシーバモジュール８３５は、図１および図３を参照して記載した基地局１０５、ならびに図２、図４、および図５を参照して記載したソースセル２０５、４０５、または５０５のうちのどの１つまたは複数とも双方向に通信するように構成され得る。トランシーバモジュール８３５は、パケットを変調し、変調されたパケットを送信のために１つまたは複数のアンテナ８４０に与え、１つまたは複数のアンテナ８４０から受信されたパケットを復調するように構成されたモデムを含み得る。ＵＥ１１５−ａは、複数のワイヤレス送信を同時に送信および／または受信することが可能な１つまたは複数のアンテナ８４０を有し得る。トランシーバモジュール８３５は、複数のコンポーネントキャリアを介して、１つまたは複数の基地局１０５と同時に通信することが可能であり得る。
【００９４】
[0108]ＵＥ１１５−ａは、チャネル／干渉推定モジュール６１５−ｂを含むことができ、これは、図６および図７を参照して記載したチャネル／干渉推定モジュール６１５について上述した機能を実施することができる。ＵＥ１１５−ａはまた、ＲＳ受信制御モジュール８２５と通信最適化モジュール８３０とを含み得る。ＲＳ受信制御モジュール８２５は、ＵＥ１１５−ａ用のＲＳ密度スキームによるＲＳの受信に基づいて、チャネル推定または干渉推定を実施するＵＥ１１５−ａの態様を制御することができる。ＲＳ密度スキームは、ＵＥ１１５−ａが、ＭＴＣデバイス、狭帯域ＭＴＣデバイスなどであるか、またはそれらのデバイスとして別の方法で動作していることに基づいて選択されてよく、追加ＲＳ  ＲＥを有する、より高密度のＲＳ密度スキームであってよい。追加ＲＳ  ＲＥは、増大したチャネル推定、干渉推定、および報告機会をＵＥ１１５−ａに提供し得る。
【００９５】
[0109]通信最適化モジュール８３０は、改善された通信機能性をＵＥ１１５−ａに提供し得る。たとえば、通信最適化モジュール８３０は、ＵＥ１１５−ａのカテゴリ、ＵＥ１１５−ａがそれにおいて動作しているカテゴリ、またはＵＥ１１５−ａが、基地局１０５に対して、ＵＥ１１５−ａの要件をサポートするＲＳ密度スキームの選択を許可するための通信パラメータのうちの少なくとも１つを決定し、報告することができる。
【００９６】
[0110]メモリ８１５は、ランダムアクセスメモリ（ＲＡＭ）と読取り専用メモリ（ＲＯＭ）とを含み得る。メモリ８１５は、実行されると、プロセッサモジュール８０５に、本明細書で説明する様々な機能を実施させる（たとえば、ＲＳ密度スキームに関連付けられたＲＳ  ＲＥに基づくチャネル推定および報告などを実施させる）ように構成された命令を含む、コンピュータ可読コンピュータ実行可能ソフトウェア／ファームウェアコード８２０を記憶し得る。代替として、コンピュータ可読コンピュータ実行可能ソフトウェア／ファームウェアコード８２０は、プロセッサモジュール８０５によって直接実行可能でなくてよく、コンピュータに（たとえば、コンパイルおよび実行されたとき）本明細書で説明する機能を実施させるように構成されてもよい。プロセッサモジュール８０５は、インテリジェントハードウェアデバイス、たとえば、中央処理ユニット（ＣＰＵ）、マイクロコントローラ、特定用途向け集積回路（ＡＳＩＣ）などを含み得る。
【００９７】
[0111]図９は、本開示の態様による、ワイヤレス通信における使用のための装置９０５のブロック図９００を示す。いくつかの例では、装置９０５は、図１もしくは図３を参照して説明した基地局１０５、または図２、図４、および図５を参照して説明したソースセル２０５、４０５、もしくは５０５のうちの１つまたは複数の、態様の例であり得る。いくつかの例では、装置９０５は、一部であるか、またはＬＴＥ／ＬＴＥ−Ａ  ｅＮＢおよび／またはＬＴＥ／ＬＴＥ−Ａ基地局を含み得る。装置９０５は、プロセッサであってもよい。装置９０５は、受信機モジュール９１０と、ＲＳ密度スキームモジュール９１５と、送信機モジュール９２０とを含み得る。これらのモジュールの各々は、互いと通信していることがある。
【００９８】
[0112]装置９０５の構成要素は、ハードウェアにおいて適用可能な機能の一部または全部を実施するように適応された１つまたは複数のＡＳＩＣを使用して、個々にまたは集合的に実装され得る。追加または代替として、機能は、１つまたは複数の集積回路上で、１つまたは複数の他の処理ユニット（またはコア）によって実施され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリに具現化された命令により実装され得る。
【００９９】
[0113]いくつかの例では、受信機モジュール９１０は、装置９０５に関連付けられたチャネル推定または干渉推定報告信号のうちの少なくとも１つをＵＥ１１５から受信するように動作可能なＲＦ受信機など、少なくとも１つの無線周波数（ＲＦ）受信機を含み得る。受信機モジュール９１０は、図１を参照して説明したワイヤレス通信システム１００の１つまたは複数の通信リンクなど、ワイヤレス通信システムの１つまたは複数の通信リンクを介して様々なタイプのデータまたは制御信号（たとえば、送信）を受信するために使用され得る。
【０１００】
[0114]いくつかの例では、送信機モジュール９２０は、ＲＳ、たとえば、ＣＲＳ、ＤＭ−ＲＳ、またはそれらの組合せを送信するように動作可能な少なくとも１つのＲＦ送信機など、少なくとも１つのＲＦ送信機を含む場合がある。送信機モジュール９２０は、図１を参照して説明したワイヤレス通信システム１００の１つまたは複数の通信リンクなど、ワイヤレス通信システムの１つまたは複数の通信リンクを介して様々なタイプのデータおよび／または制御信号（たとえば、送信）を送信するために使用され得る。送信機モジュール９２０は、ユニキャストまたはブロードキャストチャネルタイプによってＲＳを送信するように構成されてよく、ＰＤＣＣＨまたはＰＤＳＣＨチャネルタイプなどの制御チャネルタイプまたはデータチャネルタイプを介して送信するように構成されてよい。
【０１０１】
[0115]いくつかの例では、ＲＳ密度スキームモジュール９１５は、ＲＳ密度スキームを、ＲＳ送信に利用可能なＲＳ密度スキームのセットから選択することができる。ＲＳ密度スキームの選択は、いくつかの例では装置９０５のポートカウントに関連付けられ得る、チャネルに関連付けられたパラメータ、ＲＳ送信を受信するＵＥ１１５のモバイルデバイスカテゴリ、またはＲＳ送信を受信するＵＥ１１５のモバイルデバイス能力のうちのどの１つまたは複数に少なくとも部分的に基づいてもよい。たとえば、ＲＳ密度スキームモジュール９１５は、ＵＥカテゴリ、ＵＥ１１５がそれにおいて別の方法で動作しているカテゴリ、またはポートカウントのうちのどの１つまたは複数も識別し、ＲＳ密度スキームを、選択に利用可能なＲＳ密度スキームのセットから選択すればよい。利用可能なＲＳ密度スキームのセットは、追加チャネル推定および測定機会または干渉推定および測定機会をＵＥ１１５に提供する、より高密度のＲＳ密度スキームを含み得る。ＲＳ密度スキームモジュール９１５は、送信機モジュール９２０を介して、決定されたＲＳ密度スキームに従ってＵＥ１１５にＲＳを送信すればよい。いくつかの例では、ＲＳの送信は、ＣＲＳまたはＤＭ−ＲＳのうちの１つもしくは複数またはそれらの組合せを含み得る。ＲＳ密度スキームモジュール９１５は、ＲＳ密度スキームのインジケーションをＵＥ１１５に送信してもよい。
【０１０２】
[0116]図１０は、本開示の態様による、ワイヤレス通信における使用のための装置９０５−ａのブロック図１０００を示す。いくつかの例では、装置９０５−ａは、図１および図３を参照して説明した基地局１０５、図２、図４、および図５を参照して説明したソースセル２０５、４０５、もしくは５０５、または図９を参照して説明した装置９０５のうちの１つまたは複数の、態様の例であり得る。いくつかの例では、装置９０５−ａは、一部であるか、またはＬＴＥ／ＬＴＥ−Ａ  ｅＮＢまたはＬＴＥ／ＬＴＥ−Ａ基地局を含み得る。装置９０５−ａは、プロセッサであってもよい。装置９０５−ａは、受信機モジュール９１０−ａ、ＲＳ密度スキームモジュール９１５−ａ、および／または送信機モジュール９２０−ａを含み得る。これらのモジュールの各々は、互いと通信していることがある。
【０１０３】
[0117]装置９０５−ａの構成要素は、ハードウェアにおいて適用可能な機能の一部または全部を実施するように適応された１つまたは複数のＡＳＩＣを使用して、個々にまたは集合的に実装され得る。追加または代替として、機能は、１つまたは複数の集積回路上で、１つまたは複数の他の処理ユニット（またはコア）によって実施され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリに具現化された命令により実装され得る。
【０１０４】
[0118]いくつかの例では、受信機モジュール９１０−ａは、図９を参照して説明した受信機モジュール９１０の１つまたは複数の態様の例であり得る。いくつかの例では、受信機モジュール９１０−ａは、チャネル推定または干渉推定のうちの少なくとも１つの、インジケーションを与えるメッセージをＵＥ１１５から受信するように動作可能な少なくとも１つのＲＦ受信機など、少なくとも１つの無線周波数（ＲＦ）受信機を含み得る。受信機モジュール９１０−ａは、図１を参照して説明したワイヤレス通信システム１００の１つまたは複数の通信リンクなど、ワイヤレス通信システムの１つまたは複数の通信リンクを介して様々なタイプのデータおよび／または制御信号（たとえば、送信）を受信するために使用され得る。
【０１０５】
[0119]いくつかの例では、送信機モジュール９２０−ａは、図９を参照して説明した送信機モジュール９２０の１つまたは複数の態様の例であり得る。いくつかの例では、送信機モジュール９２０−ａは、選択されたＲＳ密度スキームに従ってＲＥ中でＲＳを送信するように動作可能な少なくとも１つのＲＦ送信機など、少なくとも１つのＲＦ送信機を含み得る。送信機モジュール９２０−ａは、図１を参照して説明したワイヤレス通信システム１００の１つまたは複数の通信リンクなど、ワイヤレス通信システムの１つまたは複数の通信リンクを介して様々なタイプのデータおよび／または制御信号（すなわち、送信）を送信するために使用され得る。送信機モジュール９２０−ａは、ユニキャストまたはブロードキャストチャネルタイプによってＲＳを送信するように構成されてよく、いくつかの例ではＰＤＣＣＨまたはＰＤＳＣＨチャネルタイプであってよい制御チャネルタイプまたはデータチャネルタイプを介して送信するように構成されてよい。
【０１０６】
[0120]いくつかの例では、ＲＳ密度スキームモジュール９１５−ａは、モバイルデバイスカテゴリ／能力識別モジュール１００５と、チャネルパラメータ識別モジュール１０１０と、ＲＳ密度スキーム選択モジュール１０１５とを含み得る。ＲＳ密度スキーム選択モジュール１０１５は、チャネル／干渉推定選択モジュール１０２０を含み得る。モバイルデバイスカテゴリ／能力識別モジュール１００５は、モバイルデバイスに関連付けられたカテゴリ、またはモバイルデバイスが別の方法で動作しているカテゴリのうちの少なくとも１つを識別することができる。モバイルデバイスカテゴリは、ＭＴＣデバイス、狭帯域ＭＴＣデバイス、狭帯域ＵＥ、またはそれらの組合せであってよい。いくつかの例では、モバイルデバイスカテゴリはカテゴリ０である。
【０１０７】
[0121]いくつかの態様において、モバイルデバイスカテゴリ／能力識別モジュール１００５は、モバイルデバイスのためのカバレージ拡張を識別し、識別されたカバレージ拡張に少なくとも部分的に基づいてＲＳ密度スキームを選択すればよい、たとえば、モバイルデバイスカテゴリ／能力識別モジュール１００５は、受信機モジュール９１０−ａを介して、モバイルデバイスについての動作能力を示すメッセージをモバイルデバイスから受信し得る。動作能力は、装置９０５−ａによって提供される、改善されたカバレージエリア、たとえば、装置９０５−ａによって提供される、カバレージの１０ｄＢ、１５ｄＢ、２０ｄＢなどの増大から、モバイルデバイスが利益を受け得るというインジケーションを含み得る。より高密度のＲＳ密度スキームが、拡張カバレージをサポートするためのチャネル推定を提供するために選択されてもよい。
【０１０８】
[0122]いくつかの態様において、モバイルデバイスカテゴリ／能力識別モジュール１００５は、モバイルデバイス用の送信モードを識別し、識別された送信モードに少なくとも部分的に基づいてＲＳ密度スキームを選択すればよい。たとえば、送信モードはブロードキャスト送信モードであってよく、選択されたＲＳ密度スキームは、ＰＲＢ／サブフレーム内により多くのＲＳ  ＲＥを有するより高密度のＲＳ密度スキームであってよい。対照的に、ユニキャスト送信モードは、より少ないＲＳ  ＲＥを含む、より低密度のＲＳ密度スキームを選択することを含み得る。
【０１０９】
[0123]チャネルパラメータ識別モジュール１０１０は、いくつかの例では、ＲＳを送信するために、どのアンテナポートが装置９０５−ａにとって利用可能か決定し得る。たとえば、装置９０５−ａは、ＲＳを送信するための、利用可能な１ポート、２ポート、３ポートなどを含むか、またはさもなければそれらを有し得る。利用可能アンテナポートは、装置９０５−ａについてのポートカウントを決定し得る。
【０１１０】
[0124]ＲＳ密度スキーム選択モジュール１０１５は、ＲＳ密度スキームを、ＲＳ送信に利用可能なＲＳ密度スキームのセットから選択することができる。ＲＳ密度スキームは、チャネルに関連付けられた１つもしくは複数のパラメータ、モバイルデバイスに関連付けられたモバイルデバイスカテゴリ、および／またはモバイルデバイスに関連付けられたモバイルデバイス能力に基づいて選択されてよい。ＲＳ密度スキームのセットは、比較的低密度のＲＳ密度スキームと、比較的高密度のＲＳ密度スキームとを含み得る。より高密度のＲＳ密度スキームは、より低密度のＲＳ密度スキームよりも多くのＲＳ  ＲＥを含み得る。いくつかの例では、より高密度のＲＳ密度スキームは、より低密度のＲＳ密度スキームとの後方互換性があり、たとえば、新たなＲＳ  ＲＥに加え、より低密度のＲＳ密度スキームと少なくとも同じＲＳ  ＲＥを含み得る。選択されたＲＳ密度スキームは、セル固有基準信号（ＣＲＳ）もしくは復調基準信号（ＤＭ−ＲＳ）またはそれらの組合せが、１つまたは複数のモバイルデバイスに送信されることを含み得る。
【０１１１】
[0125]いくつかの態様において、ＲＳ密度スキーム選択モジュール１０１５は、モバイルデバイスの識別されたモバイルデバイスカテゴリまたはモバイルデバイス能力に少なくとも部分的に基づいて、モバイルデバイスに送信されるＲＳの数を増大させることを含み得る。たとえば、ＲＳ密度スキームは、サブフレーム内に２０個のＲＳ  ＲＥを含み得る。
【０１１２】
[0126]いくつかの態様において、ＲＳ密度スキーム選択モジュール１０１５は、送信機モジュール９２０−ａを介して、選択されたＲＳ密度スキームのインジケーションを含むメッセージをモバイルデバイスに送信し得る。たとえば、メッセージは、モバイルデバイスに送信される、制御チャネル中のＤＣＩ要素であってよい。メッセージは、選択されたＲＳ密度スキームにＤＭ−ＲＳが含まれるかどうかのインジケーションも含み得る。
【０１１３】
[0127]チャネル／干渉推定選択モジュール１０２０は、ＲＳ密度スキームを選択するのに使われ得る、チャネル推定要件または干渉推定要件のうちの少なくとも１つを決定し得る。いくつかの例では、チャネル／干渉推定選択モジュール１０２０は、送信された基準信号に基づくチャネル品質インジケーションをモバイルデバイスから受信し得る。ＵＥのモバイルデバイスカテゴリ、ＵＥのモバイルデバイス能力、ポートカウントなど、チャネルに関連付けられた１つまたは複数のパラメータ、ＵＥの通信モードなどのうちの任意の１つまたは複数に依存して、チャネル／干渉推定選択モジュール１０２０は、追加チャネル推定、干渉推定、または報告が求められる場合があり、したがって、より高密度のＲＳ密度スキームが選択され得ることを示す情報を決定し、出力することができる。いくつかの例では、チャネル／干渉推定選択モジュール１０２０は、モバイルデバイスからのチャネルフィードバック、モバイルデバイスからの１つまたは複数の否定応答（ＮＡＣＫ）信号の受信などに基づいて、選択されたＲＳ密度スキームに影響を与え得る。
【０１１４】
[0128]図１１は、本開示の態様による、ワイヤレス通信における使用のための基地局１０５−ａ（たとえば、ｅＮＢの一部または全部を形成する基地局）のブロック図１１００を示す。いくつかの例では、基地局１０５−ａは、図１、図３、および図１１を参照して説明した基地局１０５、図２、図４、および図５を参照して説明したソースセル２０５、４０５、もしくは５０５、または図９もしくは図１０を参照して説明した装置９０５のうちの１つまたは複数の、態様の例であり得る。基地局１０５−ａは、図１〜図１０を参照して説明した基地局または装置の特徴および機能のうちの少なくともいくつかを実装または容易にするように構成され得る。
【０１１５】
[0129]基地局１０５−ａは、基地局プロセッサモジュール１１１０と、基地局メモリモジュール１１２０と、（基地局トランシーバモジュール１１５０によって表される）少なくとも１つの基地局トランシーバモジュールと、（基地局アンテナ１１５５によって表される）少なくとも１つの基地局アンテナと、ＲＳ密度スキームモジュール９１５−ｂとを含み得る。基地局１０５−ａはまた、基地局通信モジュール１１３０および／またはネットワーク通信モジュール１１４０のうちの１つまたは複数を含み得る。これらのモジュールの各々は、１つまたは複数のバス１１３５上で、直接または間接的に互いと通信していることがある。
【０１１６】
[0130]基地局メモリモジュール１１２０は、ランダムアクセスメモリ（ＲＡＭ）または読取り専用メモリ（ＲＯＭ）を含み得る。基地局メモリモジュール１１２０は、実行されると、ワイヤレス通信に関する本明細書で説明する様々な機能を基地局プロセッサモジュール１１１０に実施させる（たとえば、ポートカウント、モバイルデバイスのカテゴリ、モバイルデバイスが動作しているカテゴリなどに基づいてＲＳ密度スキームを選択させる）ように構成された命令を含むコンピュータ可読、コンピュータ実行可能ソフトウェア／ファームウェアコード１１２５を記憶し得る。代替的に、コンピュータ可読、コンピュータ実行可能ソフトウェア／ファームウェアコード１１２５は、基地局プロセッサモジュール１１１０によって直接的に実行可能ではないことがあるが、（たとえば、コンパイルされ実行されると）本明細書で説明する様々な機能を基地局１０５−ｂに実施させるように構成され得る。
【０１１７】
[0131]基地局プロセッサモジュール１１１０は、インテリジェントハードウェアデバイス、たとえば、中央処理装置（ＣＰＵ）、マイクロコントローラ、ＡＳＩＣなどを含む場合がある。基地局プロセッサモジュール１１１０は、基地局トランシーバモジュール１１５０、基地局通信モジュール１１３０、またはネットワーク通信モジュール１１４０を通して受信された情報を処理し得る。基地局プロセッサモジュール１１１０はまた、アンテナ１１５５を通した送信のためにトランシーバモジュール１１５０に、１つもしくは複数の他の基地局１０５−ｂおよび１０５−ｃへの送信のために基地局通信モジュール１１３０に、または図１を参照して説明したコアネットワーク１３０の１つもしくは複数の態様の例であり得るコアネットワーク１１４５への送信のためにネットワーク通信モジュール１１４０に送られるべき情報を処理し得る。基地局プロセッサモジュール１１１０は、単独で、またはＲＳ密度スキームモジュール９１５−ｂとともに、ＲＳ密度スキーム選択、およびいくつかの態様では、モバイルデバイスへの通信の様々な態様を扱うことができる。
【０１１８】
[0132]基地局トランシーバモジュール１１５０は、パケットを変調し、変調されたパケットを送信のために基地局アンテナ１１５５に与え、基地局アンテナ１１５５から受信されたパケットを復調するように構成されたモデムを含み得る。基地局トランシーバモジュール１１５０は、いくつかの例では、１つまたは複数の基地局送信機モジュールおよび１つまたは複数の別個の基地局受信機モジュールとして実装され得る。基地局トランシーバモジュール１１５０は、第１の無線周波数スペクトル帯域または第２の無線周波数スペクトル帯域における通信をサポートし得る。基地局トランシーバモジュール１１５０は、アンテナ１１５５を介して、図１〜図１０を参照して説明したＵＥ１１５のうちの１つまたは複数など、１つまたは複数のＵＥまたは装置と双方向に通信するように構成され得る。基地局１０５は、たとえば、複数の基地局アンテナ１１５５（たとえば、アンテナアレイ）を含み得る。基地局１０５は、ネットワーク通信モジュール１１４０を通してコアネットワーク１１４５と通信し得る。基地局１０５−ａは、基地局通信モジュール１１３０を使用して、基地局１０５−ｂおよび１０５−ｃなど、他の基地局と通信することもできる。
【０１１９】
[0133]ＲＳ密度スキームモジュール９１５−ｂは、ＲＳ密度スキーム選択に関連した、図１〜図１０を参照して記載した特徴または機能の一部または全部を実施し、または制御するように構成され得る。いくつかの例では、ＲＳ密度スキームモジュール９１５−ｂは、ポートカウント、モバイルデバイスのカテゴリ、またはモバイルデバイスが動作しているカテゴリのうちの任意の１つまたは複数を識別し、モバイルデバイスをサポートするのに利用可能なＲＳ密度スキームのセットから、ＲＳ密度スキームを選択すればよい。たとえば、いくつかのモバイルデバイスカテゴリは、余剰チャネル推定機会から利益を受ける場合があり、サブフレームごとにより多くのＲＳ  ＲＥを有する、より高密度のＲＳ密度スキームが選択され得る。ＲＳ密度スキームモジュール９１５−ｂ、もしくはＲＳ密度スキームモジュール９１５−ｂの部分はプロセッサを含むことができ、またはＲＳ密度スキームモジュール９１５−ｂの機能の一部もしくは全部が、基地局プロセッサモジュール１１１０によって、または基地局プロセッサモジュール１１１０とともに実施され得る。いくつかの例では、ＲＳ密度スキームモジュール９１５−ｂは、図９または図１０を参照して記載したＲＳ密度スキームモジュール９１５または９１５−ａの例であり得る。
【０１２０】
[0134]いくつかの例では、ＲＳ密度スキームモジュール９１５−ｂは、チャネル／干渉推定制御モジュール１１６０とモバイルデバイスカテゴリ／能力制御モジュール１１６５とを含み得る。チャネル／干渉推定制御モジュール１１６０は、様々な因子、たとえば、モバイルデバイスの送信モード、モバイルデバイスのためのカバレージ拡張などに基づいて、モバイルデバイスについてのチャネル推定要件または干渉推定要件を決定することができる。したがって、チャネル／干渉推定制御モジュール１１６０は、選択されたＲＳ密度スキームにおいて、追加されたチャネル推定または干渉推定機会をサポートするための追加ＲＳ  ＲＥが提供され得るかどうか決定することができる。
【０１２１】
[0135]いくつかの例では、モバイルデバイスカテゴリ／能力制御モジュール１１６５は、たとえば、ＭＴＣデバイス、狭帯域ＭＴＣデバイス、狭帯域ＵＥ、カテゴリ０ＵＥなどのモバイルデバイスがどのモバイルデバイスカテゴリに関連付けられているか、またはどのカテゴリにおいて別の方法で動作しているか決定することができる。したがって、モバイルデバイスカテゴリ／能力制御モジュール１１６５は、モバイルデバイスカテゴリまたはモバイルデバイス能力に少なくとも部分的に基づいて、モバイルデバイスをサポートするための十分なチャネル推定または干渉推定機会を提供するＲＳ密度スキームを決定すればよい。
【０１２２】
[0136]図１２は、本開示の態様による、ワイヤレス通信のための方法１２００を示すフローチャートである。明快のために、方法１２００について、図１、図３および図１１を参照して記載した基地局１０５、図２、図４、もしくは図５を参照して記載したソースセル２０５、４０５、および５０５、ならびに／または図９もしくは図１０を参照して記載した装置９０５のうちの１つまたは複数の、態様を参照して以下で説明する。いくつかの例では、基地局は、以下に説明する機能を実施するように基地局の機能要素を制御するために、コードの１つまたは複数のセットを実行し得る。追加または代替として、基地局は、特殊目的ハードウェアを使って、以下で説明する機能のうちの１つまたは複数を実施することができる。
【０１２３】
[0137]ブロック１２０５において、方法１２００は、モバイルデバイスのモバイルデバイスカテゴリまたはモバイルデバイス能力を識別することを含み得る。たとえば、モバイルデバイスは、カテゴリ０モバイルデバイスであってよく、またはカテゴリ０デバイスとして別の方法で動作していてよい。いくつかの例では、モバイルデバイスは、ＭＴＣデバイス、狭帯域ＭＴＣデバイス、狭帯域ＵＥなどに関連付けられるか、またはそれらとして別の方法で動作していてよい。様々な例において、モバイルデバイスカテゴリまたはモバイルデバイス能力は、低減された通信機能性、たとえば、低減されたデータレート、狭帯域幅などを使用するモバイルデバイスに関連付けられ得る。基地局は、独自に、またはモバイルデバイスから、たとえば、モバイルデバイス能力告知メッセージにより受信された情報に少なくとも部分的に基づいて、モバイルデバイスカテゴリを決定してよい。ブロック１２０５における動作は、図９、図１０、または図１１を参照して記載したＲＳ密度スキームモジュール９１５のうちのどの１つまたは複数を使って実施されてもよい。
【０１２４】
[0138]ブロック１２１０において、方法１２００は、モバイルデバイスに基準信号を通信するためのチャネルに関連付けられた１つまたは複数のパラメータを識別することを含み得る。何らかの例では、これは、モバイルデバイスにＲＳを送信するために利用可能なポートカウントを識別することを含み得る。ポートカウントは、基地局の構成、たとえば、アンテナポートの数に基づいて、および／または基地局の利用可能ポートに基づいて識別され得る。いくつかの例では、ポートカウントは、１つのポート、２つのポート、３つのポートなどであってよい。ブロック１２０５における動作は、図９、図１０、もしくは図１１を参照して記載したＲＳ密度スキームモジュール９１５、図１０を参照して記載したチャネルパラメータ識別モジュール１０１０、または図１１を参照して記載したチャネル／干渉推定制御モジュール１１６０のうちのどの１つまたは複数を使って実施されてもよい。
【０１２５】
[0139]ブロック１２１５において、方法１２００は、ＲＳ密度スキームをＲＳ密度スキームのセットから選択することを含み得る。たとえば、各ポートカウントに対して、基地局は、モバイルデバイスへのＲＳ送信に利用可能な１つまたは複数のＲＳ密度スキームを有し得る。ＲＳ密度スキームは、モバイルデバイスのモバイルデバイスカテゴリ、またはモバイルデバイスのモバイルデバイス能力に少なくとも部分的に基づいて選択され得る。たとえば、特定のモバイルデバイスカテゴリに関連付けられるか、またはそのカテゴリにおいて別の方法で動作しているモバイルデバイスは、サブフレームごとにより多くのＲＳ  ＲＥを含むより高密度のＲＳ密度スキームを使用し得る。追加ＲＳ  ＲＥは、モバイルデバイスがチャネル推定または干渉推定報告を改善するための、より多くのチャネル測定または干渉測定機会を提供し得る。ブロック１２０５における動作は、図９、図１０、もしくは図１１を参照して記載したＲＳ密度スキームモジュール９１５、図１０を参照して記載したＲＳ密度スキーム選択モジュール１０１５、または図１１を参照して記載したチャネル／干渉推定制御モジュール１１６０のうちのどの１つまたは複数を使って実施されてもよい。
【０１２６】
[0140]ブロック１２２０において、方法１２００は、選択されたＲＳ密度スキームに従って、モバイルデバイスにＲＳを送信することを含み得る。たとえば、基地局は、十分なチャネル測定、干渉測定、および報告機会を提供するために、選択されたＲＳ密度スキームに従って、ＲＥ中でＲＳを送信することができる。ブロック１２０５における動作は、図９、図１０、もしくは図１１を参照して記載したＲＳ密度スキームモジュール９１５、図９もしくは図１０を参照して記載した送信機モジュール９２０、または図１１を参照して記載した基地局トランシーバモジュール１１５０もしくは基地局アンテナ１１５５のうちのどの１つまたは複数を使って実施されてもよい。
【０１２７】
[0141]このようにして、方法１２００はワイヤレス通信を提供し得る。方法１２００は、単に１つの実施態様であること、および、方法１２００の動作は、他の実施態様が可能であるように並べ替えられ、またはさもなければ修正され得ることに留意されたい。
【０１２８】
[0142]図１３は、本開示の様々な態様による、ワイヤレス通信のための方法１３００を示すフローチャートである。明快のために、方法１３００について、図１、図３および図１１を参照して記載したＵＥ１１５、図２、図４、もしくは図５を参照して記載したモバイルデバイス２１０、４１０、および５１０、ならびに／または図６もしくは図７を参照して記載したデバイス６０５のうちの１つまたは複数の、態様を参照して以下で説明する。いくつかの例では、ＵＥは、以下で説明される機能を実施するようにＵＥの機能要素を制御するためのコードの１つまたは複数のセットを実行し得る。追加または代替として、ＵＥは、特殊目的ハードウェアを使って、以下で説明する機能のうちの１つまたは複数を実施することができる。
【０１２９】
[0143]ブロック１３０５において、方法１３００は、ＲＳ密度スキームに従って送信されたＲＳを受信することを含み得る。ＲＳ密度スキームは、利用可能ＲＳ密度スキームのセットから選択され得る。ＲＳ密度スキームは、ＵＥに関連付けられたモバイルデバイスカテゴリ、チャネル中のＵＥに関連付けられたモバイルデバイス能力、またはチャネルに関連付けられた１つもしくは複数のパラメータに少なくとも部分的に基づいて選択されてもよい。ＲＳ密度スキームは、より高密度のＲＳ密度スキーム（たとえば、サブフレームごとに２０個のＲＳ  ＲＥをもつ）、またはより高密度のＲＳスキームよりも少ないＲＳ  ＲＥを有する、より低密度ＲＳスキームであってよい。いくつかの例では、基準信号を受信することは、ＣＲＳまたはＤＭ−ＲＳのうちの少なくとも１つまたはそれらの組合せを受信することを含み得る。ブロック１３０５における動作は、図６もしくは図７を参照して記載した受信機モジュール６１０、図６、図７、もしくは図８を参照して記載したチャネル／干渉推定モジュール６１５、または図８を参照して記載したトランシーバモジュール８３５およびアンテナ８４０のうちのどの１つまたは複数を使って実施されてもよい。
【０１３０】
[0144]ブロック１３１０において、方法１３００は、基準信号に関連付けられたチャネルのタイプまたは基準信号に関連付けられたチャネルのためのカバレージ拡張に少なくとも部分的に基づいて、ＲＳ密度スキームを識別することを含み得る。いくつかの例では、チャネルのタイプは、ブロードキャストチャネルまたはユニキャストチャネルであり得る。いくつかの例では、チャネルのタイプは、ＰＤＣＣＨまたはＰＤＳＣＨなど、制御チャネルまたはデートチャネルであってよい。いくつかの例では、チャネルのカバレージ拡張はチャネルの反復を含んでよく、ＲＳ密度スキームは、チャネルの反復の数に少なくとも部分的に基づいて識別され得る。ブロック１３１０における動作は、図６、図７、もしくは図８を参照して記載したチャネル／干渉推定モジュール６１５、または図７を参照して記載したＲＳ密度スキーム決定モジュール７０５のうちの１つまたは複数を使って実施されてよい。
【０１３１】
[0145]ブロック１３１５において、方法１３００は、識別されたＲＳ密度スキームに従って、基準信号を使って通信することを含み得る。通信することは、基準信号を使って、チャネル推定または干渉推定のうちの少なくとも１つを実施することと、チャネル推定のインジケーションをサービング基地局に送信することとを含み得る。したがって、サービング基地局は、チャネル状態を考慮に入れるとともにＵＥ通信をサポートするように、送信を調節することができる。ブロック１３１５における動作は、図６、図７、もしくは図８を参照して記載したチャネル／干渉推定モジュール６１５、図７を参照して記載したチャネル／干渉推定決定モジュール７１０、図７を参照して記載したカバレージ拡張／送信モードモジュール７１５、図６、もしくは図７を参照して記載した送信機モジュール６２０、または図８を参照して記載したトランシーバモジュール８３５およびアンテナ８４０のうちのどの１つまたは複数を使って実施されてもよい。
【０１３２】
[0146]このようにして、方法１３００はワイヤレス通信を提供し得る。方法１３００は、単に１つの実施態様であること、および、方法１３００の動作は、他の実施態様が可能であるように並べ替えられ、またはさもなければ修正され得ることに留意されたい。
【０１３３】
[0147]図１４は、本開示の様々な態様による、ワイヤレス通信のための方法１４００を示すフローチャートである。明快のために、方法１４００について、図１、図３および図１１を参照して記載した基地局１０５、図２、図４、もしくは図５を参照して記載したソースセル２０５、４０５、もしくは５０５、ならびに／または図９もしくは図１０を参照して記載した装置９０５のうちの１つまたは複数の、態様を参照して以下で説明する。いくつかの例では、基地局は、以下に説明する機能を実施するように基地局の機能要素を制御するために、コードの１つまたは複数のセットを実行し得る。追加または代替として、基地局は、特殊目的ハードウェアを使って、以下で説明する機能のうちの１つまたは複数を実施することができる。
【０１３４】
[0148]ブロック１４０５において、方法１４００は、モバイルデバイスのモバイルデバイスカテゴリまたはモバイルデバイス能力を識別することを含み得る。モバイルデバイスは、カテゴリ０モバイルデバイスであってよく、またはカテゴリ０モバイルデバイスとして別の方法で動作していてよい。いくつかの例では、モバイルデバイスは、ＭＴＣデバイス、狭帯域ＭＴＣデバイス、狭帯域ＵＥなどに属すか、またはそれらとして別の方法で動作していてよい。他の例では、モバイルデバイスカテゴリまたはモバイルデバイス能力は、低減された通信機能性、たとえば、低減されたデータレート、狭帯域幅などを使用するモバイルデバイスに関連付けられ得る。基地局は、モバイルデバイスカテゴリまたはモバイルデバイス能力を独自に、またはモバイルデバイスから、たとえば、モバイルデバイス能力告知メッセージにより受信された情報に基づいて決定すればよい。
【０１３５】
[0149]ブロック１４１０において、方法１４００は、チャネルに関連付けられた１つまたは複数のパラメータを識別することを含み得る。いくつかの例では、方法は、モバイルデバイスにＲＳを通信するためのポートカウントを識別することを含み得る。ポートカウントは、基地局の構成、たとえば、アンテナポートの数、および／または基地局の利用可能ポートに少なくとも部分的に基づいて識別され得る。いくつかの例では、ポートカウントは、１つのポート、２つのポート、３つのポートなどであってよい。
【０１３６】
[0150]ブロック１４１５において、方法１４００は、ＵＥのポートカウント、ＵＥのカテゴリ、またはＵＥがそれにおいて動作しているカテゴリのうちの任意の１つまたは複数に少なくとも部分的に基づいて、より高密度のＲＳスキームが選択されるべきかどうか決定することを含み得る。たとえば、ＲＳ密度スキームは、ポートカウント、ＵＥカテゴリ、またはＵＥ能力に関連付けられたＲＳ密度スキームのセットから選択され得る。一例では、より高密度のＲＳ密度スキームは、ＵＥが、ＭＴＣデバイスであるか、またはＭＴＣデバイスとして別の方法で動作しており、狭帯域ＭＴＣデバイスであり、狭帯域において動作するＵＥであり、複数のＲＳ密度スキームをサポートするＵＥである場合などに選択され得る。より高密度のＲＳ密度スキームが選択されるべきであると決定された場合、方法１４００は、ブロック１４２０において、より高密度のＲＳ密度スキームを選択することを含み得る。
【０１３７】
[0151]ブロック１４２５において、方法１４００は、ＵＥのためのカバレージ拡張に少なくとも部分的に基づいて、より高密度のＲＳ密度スキームが選択され得るかどうか決定することを含み得る。たとえば、基地局は、（たとえば、基地局のセル境界にある）ＵＥのロケーションに基づいて、および／またはカバレージ拡張が必要とされ得ることを示す、ＵＥから受信されたインジケーションに基づいて、ＵＥが（たとえば、ＵＥから所定の数のＮＡＣＫメッセージを受信したことに基づいて）受信問題を受けていると決定し得る。基地局は、追加されたチャネル測定、干渉測定、および報告のために、サブフレームごとに追加ＲＳ  ＲＥを与えるために、より高密度のＲＳ密度スキームを選択することによって、ＵＥのカバレージを拡張することができる。カバレージ拡張に基づいて、より高密度のＲＳ密度スキームが選択された場合、方法１４００はブロック１４２０に移り、ここで、より高密度のＲＳスキームが選択される。
【０１３８】
[0152]ブロック１４３０において、方法１４００は、ＵＥの送信モードに基づいて、より高密度のＲＳ密度スキームが選択されるべきかどうか決定することを含み得る。たとえば、基地局は、ＵＥがブロードキャスト通信に関与していると決定することができ、したがって、より高密度のＲＳ密度スキームが、改善されたチャネル推定、干渉推定、および報告を提供し得る。基地局は、追加されたチャネル推定または干渉推定報告に基づいて、改善されたブロードキャスト送信カバレージを提供することができる。
【０１３９】
[0153]より高密度のＲＳ密度スキームが選択されない場合、方法１４００はブロック１４３５に移ってよく、ここで、より低密度ＲＳスキームが選択される。より低密度ＲＳスキームは概して、より高密度のＲＳ密度スキームよりも少ないＲＳ  ＲＥをサブフレームごとに有し得る。
【０１４０】
[0154]ブロック１４０５、１４１０、１４１５、１４２０、１４２５、１４３０および／または１４３５における動作は、図９、図１０、または図１１を参照して記載したＲＳ密度スキームモジュール９１５のうちのどの１つまたは複数を使って実施されてもよい。
【０１４１】
[0155]このようにして、方法１４００はワイヤレス通信を提供し得る。方法１４００は、単に一実装態様であること、および方法１４００の動作は、他の実施態様が可能であるように並べ替えられ、またはさもなければ修正され得ることに留意されたい。
【０１４２】
[0156]いくつかの例では、方法１２００、１３００、または１４００のうちの２つ以上による態様が組み合わせられてよい。方法１２００、１３００、および１４００は例示的な実装形態にすぎず、方法１２００、１３００、または１４００の動作は、他の実装形態が可能であるように並べ替えられ、またはさもなければ変更され得ることに留意されたい。
【０１４３】
[0157]本明細書に記載した技法は、ＣＤＭＡ、ＴＤＭＡ、ＦＤＭＡ、ＯＦＤＭＡ、ＳＣ−ＦＤＭＡ、および他のシステムなど、様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは一般に、ＣＤＭＡ２０００  １Ｘ、１Ｘなどと呼ばれる。ＩＳ−８５６（ＴＩＡ−８５６）は一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、電気電子技術者協会（ＩＥＥＥ）８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、上述のシステムおよび無線技術、ならびに、無認可および／または共有帯域幅を介したセルラー（たとえば、ＬＴＥ）通信を含む他のシステムおよび無線技術に使用されてよい。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１４４】
[0158]添付の図面に関して上に記載された詳細な説明は、例を説明しており、実装され得る、または特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味するものではない。詳細な説明は、説明する技法の理解を与えるための具体的な詳細を含む。ただし、これらの技法は、これらの具体的な詳細なしに実践され得る。いくつかの事例では、説明した例の概念を不明瞭にすることを避けるために、よく知られている構造および装置がブロック図の形で示されている。
【０１４５】
[0159]情報および信号は、種々の異なる技術および技法のいずれかを使用して表され得る。たとえば、上の説明全体を通じて参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１４６】
[0160]本明細書の本開示に関して説明する様々な例示的なブロックおよび構成要素は、汎用プロセッサ、デジタル信号プロセッサ（ＤＳＰ）、ＡＳＩＣ、フィールドプログラマブルゲートアレイ（ＦＰＧＡ）もしくは他のプログラマブル論理デバイス、個別ゲートもしくはトランジスタ論理、個別ハードウェア構成要素、または本明細書で説明する機能を実施するように設計されたそれらの任意の組合せを用いて実装または実施され得る。汎用プロセッサは、マイクロプロセッサであってもよいが、代替として、プロセッサは、任意の従来のプロセッサ、コントローラ、マイクロコントローラ、またはステートマシンであってもよい。プロセッサは、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成としても実装される場合がある。
【０１４７】
[0161]本明細書で説明した機能は、ハードウェア、プロセッサによって実行されるソフトウェア、ファームウェア、またはそれらの組合せで実装され得る。プロセッサによって実行されるソフトウェアにおいて実装された場合、機能は、１つまたは複数の命令またはコードとしてコンピュータ可読媒体上に記憶されるか、またはコンピュータ可読媒体を介して送信され得る。他の例および実装形態が、本開示および添付の特許請求の範囲および趣旨内に入る。たとえば、ソフトウェアの本質に起因して、上述された機能は、プロセッサ、ハードウェア、ファームウェア、ハードワイヤリング、またはこれらのいずれかの組合せによって実行されるソフトウェアを使用して実装され得る。機能を実装する特徴はまた、機能の一部が異なる物理的ロケーションで実装されるように分散された状態を含め、様々な位置に物理的に位置していてよい。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」または「のうちの１つまたは複数」などの句で終わる項目の列挙）中で使用される「または」は、たとえば、項目の列挙「のうちの少なくとも１つ」を指す句が単一のメンバーを含むそれらの項目の任意の組合せを指すような包含的列挙を示す。一例として、「Ａ、Ｂ、またはＣのうちの少なくとも１つ」は、Ａ、Ｂ、Ｃ、Ａ−Ｂ、Ａ−Ｃ、Ｂ−Ｃ、およびＡ−Ｂ−Ｃ、ならびに複数の同じ要素を用いた任意の組合せ（たとえば、Ａ−Ａ  Ａ−Ａ−Ａ、Ａ−Ａ−Ｂ、Ａ−Ａ−Ｃ、Ａ−Ｂ−Ｂ、Ａ−Ｃ−Ｃ、Ｂ−Ｂ、Ｂ−Ｂ−Ｂ、Ｂ−Ｂ−Ｃ、Ｃ−Ｃ、およびＣ−Ｃ−Ｃ、またはＡ、Ｂ、およびＣの任意の他の並び）をカバーすることを意図している。
【０１４８】
[0162]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭもしくは他の光ディスクストレージ、磁気ディスクストレージもしくは他の磁気ストレージデバイス、または命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、同軸ケーブル、光ファイバケーブル、ツイストペア、デジタル加入者線（ＤＳＬ）、または赤外線、無線、およびマイクロ波などのワイヤレス技術を使用して、ソフトウェアがウェブサイト、サーバまたは他のリモートソースから送信される場合、同軸ケーブル、光ファイバケーブル、ツイストペア、ＤＳＬ、または赤外線、無線、およびマイクロ波などワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せも、コンピュータ可読媒体の範囲内に含まれる。
【０１４９】
[0163]本開示の前述の説明は、当業者が本開示を作成または使用することができるように与えたものである。本開示への様々な修正は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
【図１】
2017537497.tif 000003
【図２】
2017537497.tif 000004
【図３Ａ】
2017537497.tif 000005
【図３Ｂ】
2017537497.tif 000006
【図３Ｃ】
2017537497.tif 000007
【図３Ｄ】
2017537497.tif 000008
【図３Ｅ】
2017537497.tif 000009
【図４】
2017537497.tif 000010
【図５】
2017537497.tif 000011
【図６】
2017537497.tif 000012
【図７】
2017537497.tif 000013
【図８】
2017537497.tif 000014
【図９】
2017537497.tif 000015
【図１０】
2017537497.tif 000016
【図１１】
2017537497.tif 000017
【図１２】
2017537497.tif 000018
【図１３】
2017537497.tif 000019
【図１４】
2017537497.tif 000020
【国際調査報告】
2017537497.tif 000021
2017537497.tif 000022
2017537497.tif 000023